(57)【要約】 そこから得られるデータの操作の補助装置とソフトウェアとニューロン（神経補綴学とバイオセンシングすること）からのデータの操作を含む多くの生物学的で分析的機能にふさわしい多重電極配列が、明らかにする。
2006528041.tif 000002
【特許請求の範囲】
【請求項１】
ニューロンからの電圧信号を受けるための多重電極配列であって、
基板と、前記基板に部分的に含まれる少なくとも二つの受電電極であって、前記二つの受電電極のそれぞれが部分的に、前記基板（基板を越えて広がっている露出された端部、基板の範囲内の露出されていない端部と神経組織に埋められることができる中心の、前記むき出しの端部で炭素繊維を持っている前記少なくとも二本の受電電極の各々）に含まれる少なくとも二本の受電電極は金属線の最初の端部に結合する前記炭素繊維の露出されていない端部と、前置増幅器への入力に結合している前記金属線の第二の端部が少なくとも二本の受電電極の各々の少なくとも一部をカバーしている電気絶縁体を備えた、多重電極配列。
【請求項２】
前記少なくとも二つの炭素繊維の各々が、露出された端部のコーティング、鋭くされた先端及び露出された端部の変化した長さから構成されるグループから独立して選択される特徴のうちの少なくとも一つの任意の組合せを有する、請求項１に記載の多重電極配列。
【請求項３】
ニューロンからの電圧信号を受けるための多重電極配列であって、
基板、神経組織への前述の基板で部分的に含まれた、少なくとも二つの受電電極、基板を超えて広がっている露出している端部を備える炭素繊維を持っているそれぞれの少なくとも二つの前述の受電電極、基板の中の非露出している端部、および埋め込むことができるセンターの、そして、前述の露出している端部、金属線の二番目の端部に前置増幅器への入力と結合されながら示されたワイヤの最初の端部に金属と結合された炭素繊維の非露出している端と少なくともお互いから区切られる電極を受ける前述の二はそれぞれの前述の露出している端部のセンターの間のスペースが、炭素繊維が２０ミクロンを超えないと言ったように、そして、少なくとも電極を受けるそれぞれの二つのものの少なくとも一部をカバーする電気絶縁体を備えた、多重電極配列。
【請求項４】
前記少なくとも二つの炭素繊維の各々が、露出された端部のコーティング、鋭くされた先端及び露出された端部の変化した長さから構成されるグループから独立して選択される特徴のうちの少なくとも一つの任意の組合せを有する、請求項３に記載の多重電極配列。
【請求項５】
ニューロンからの電圧信号を受けるための多重電極配列であって、
基板、前述の基板で部分的に含まれた少なくとも二つの受電電極（露出している端部が基板を超えて広がっている炭素繊維、基板の中の非露出している端、およびセンターを持っているそれぞれの少なくとも二つの前述の受電電極）が神経組織に埋め込むことができる露出している端部を示した、金属線の二番目の端部に前置増幅器への入力と結合されながら示されたワイヤの最初の端部に金属と結合された炭素繊維の非露出している端と少なくともお互いから区切られる電極を受ける前述の二はそれぞれの前述の露出している端部のセンターの間のスペースが、炭素繊維が４５ミクロンを超えないと言ったように、そして、少なくとも二本の受電電極の各々の少なくとも一部をカバーしている電気絶縁体を備えた、多重電極配列。
【請求項６】
前記少なくとも二つの炭素繊維の各々が、露出された端部のコーティング、鋭くされた先端及び露出された端部の変化した長さから構成されるグループから独立して選択される特徴のうちの少なくとも一つの任意の組合せを有する、請求項５に記載の多重電極配列。
【請求項７】
ニューロンからの電圧信号を受けるための多重電極配列であって、
基板、部分的に、前記基板（基板、基板の範囲内の露出されていない端部とセンターの向こうで広がっている露出された端部で生物学的適合性のワイヤを備えている前記少なくとも二本の受電電極の各々）に含まれる少なくとも二本の受電電極は、神経組織に埋められることができるむき出しの端部を言って、前置増幅器への入力に結合する露出されていない端部、そして、少なくとも二本の受電電極の各々の少なくとも一部をカバーしている電気絶縁体を備えた、多重電極配列。
【請求項８】
前記生物学的適合性のワイヤの各々が、露出された端部のコーティング、鋭くされた先端及び露出された端部の変化した長さから構成されるグループから独立して選択される特徴のうちの少なくとも一つの任意の組合せを有する、請求項７に記載の多重電極配列。
【請求項９】
ニューロンからの電圧信号を受けるための多重電極配列であって、
基板、少なくとも二つの受電電極が基板、およびセンターの中に前述の基板で非露出している端部をそれぞれの少なくとも二つの前述の受電電極には露出している端部が基板を超えて広がっている生物学的に適合しているワイヤがあって、部分的に保管していた、神経組織に埋め込んで、言うことができる前述の露出している端部が入力と結合された端を前置増幅器、および少なくともお互いから区切られる電極を受ける前述の二に非露出したので、それぞれの前述の露出している端部のセンターの間のスペースは、生物学的に適合しているワイヤが２０ミクロンを超えない、そして、少なくとも二本の受電電極の各々の少なくとも一部をカバーしている電気絶縁体を備えた、多重電極配列。
【請求項１０】
前記生物学的適合性のワイヤの各々が、露出された端部のコーティング、鋭くされた先端及び露出された端部の変化した長さから構成されるグループから独立して選択される特徴のうちの少なくとも一つの任意の組合せを有する、請求項９に記載の多重電極配列。
【請求項１１】
ニューロンからの電圧信号を受けるための多重電極配列であって、
基板、少なくとも二つの受電電極が基板、およびセンターの中に前述の基板で非露出している端部をそれぞれの少なくとも二つの前述の受電電極には露出している端部が基板を超えて広がっている生物学的に適合しているワイヤがあって、部分的に保管していた、神経組織に埋め込んで、言うことができる前述の露出している端部が入力と結合された端を前置増幅器、および少なくともお互いから区切られる電極を受ける前述の二に非露出したので、それぞれの前述の露出している端部のセンターの間のスペースは、生物学的に適合しているワイヤが４５ミクロンを超えない、そして、少なくとも二本の受電電極の各々の少なくとも一部をカバーしている電気絶縁体を備えた、多重電極配列。
【請求項１２】
前記生物学的適合性のワイヤの各々が、露出された端部のコーティング、鋭くされた先端及び露出された端部の変化した長さから構成されるグループから独立して選択される特徴のうちの少なくとも一つの任意の組合せを有する、請求項１１に記載の多重電極配列。
【請求項１３】
電圧信号によりニューロンを刺激するための多重電極配列であって、
基板、部分的に、前記基板（基板を越えて広がっている露出された端部、基板の範囲内の露出されていない端部と神経組織に埋められることができる中心の、前記むき出しの端部で炭素繊維を持っている前記少なくとも二本の刺激電極の各々）に含まれる少なくとも二本の刺激電極は金属線の最初の端部に結合する前記炭素繊維の露出されていない端部と、電流発生器への入力に結合している前記金属線の第二の端部、そして、少なくとも二本の刺激電極の各々の少なくとも一部をカバーしている電気絶縁体を備えた、多重電極配列。
【請求項１４】
前記少なくとも二つの炭素繊維の各々が、露出された端部のコーティング、鋭くされた先端及び露出された端部の変化した長さから構成されるグループから独立して選択される特徴のうちの少なくとも一つの任意の組合せを有する、請求項１３に記載の多重電極配列。
【請求項１５】
電圧信号によりニューロンを刺激するための多重電極配列であって、
基板、前述の基板で部分的に含まれた少なくとも二つの刺激電極（露出している端部が基板を超えて広がっている炭素繊維、基板の中の非露出している端、およびセンターを持っているそれぞれの少なくとも二つの前述の刺激電極）が神経組織に埋め込むことができる露出している端部を示した、前述の炭素繊維がお互いから区切られる少なくとも二つの刺激電極を金属線の二番目の端部に定電流源への入力と結合されながら示されたワイヤの最初の端部の金属と結合された端のときに非露出して、言ったので、それぞれの前述の露出している端部のセンターの間のスペースは、炭素繊維が２０ミクロンを超えない、そして、少なくとも二本の刺激電極の各々の少なくとも一部をカバーしている電気絶縁体を備えた、多重電極配列。
【請求項１６】
前記少なくとも二つの炭素繊維の各々が、露出された端部のコーティング、鋭くされた先端及び露出された端部の変化した長さから構成されるグループから独立して選択される特徴のうちの少なくとも一つの任意の組合せを有する、請求項１５に記載の多重電極配列。
【請求項１７】
電圧信号によりニューロンを刺激するための多重電極配列であって、
基板、前述の基板で部分的に含まれた少なくとも二つの刺激電極（露出している端部が基板を超えて広がっている炭素繊維、基板の中の非露出している端、およびセンターを持っているそれぞれの少なくとも二つの前述の刺激電極）が神経組織に埋め込むことができる露出している端部を示した、前述の炭素繊維がお互いから区切られる少なくとも二つの刺激電極を金属線の二番めの端部に定電流源への入力と結合されながら示されたワイヤの最初の端部の金属と結合された端のときに非露出して、言ったので、それぞれの前述の露出している端部のセンターの間のスペースは、炭素繊維が４５ミクロンを超えない、そして、少なくとも二本の刺激電極の各々の少なくとも一部をカバーしている電気絶縁体を備えた、多重電極配列。
【請求項１８】
前記少なくとも二つの炭素繊維の各々が、露出された端部のコーティング、鋭くされた先端及び露出された端部の変化した長さから構成されるグループから独立して選択される特徴のうちの少なくとも一つの任意の組合せを有する、請求項１７に記載の多重電極配列。
【請求項１９】
電圧信号によりニューロンを刺激するための多重電極配列であって、
基板、部分的に、前記基板（基板、基板の範囲内の露出されていない端部とセンターの向こうで広がっている露出された端部で生物学的適合性のワイヤを備えている前記少なくとも二本の刺激電極の各々）に含まれる少なくとも二本の刺激電極は、神経組織に埋められることができるむき出しの端部を言って、電流発生器への入力に結合する露出されていない端部、そして、少なくとも二本の刺激電極の各々の少なくとも一部をカバーしている電気絶縁体を備えた、多重電極配列。
【請求項２０】
前記生物学的適合性のワイヤの各々が、露出された端部のコーティング、鋭くされた先端及び露出された端部の変化した長さから構成されるグループから独立して選択される特徴のうちの少なくとも一つの任意の組合せを有する、請求項１９に記載の多重電極配列。
【請求項２１】
電圧信号によりニューロンを刺激するための多重電極配列であって、
基板、少なくとも二つの刺激電極が基板、およびセンターの中に前述の基板で非露出している端部をそれぞれの少なくとも二つの前述の刺激電極には露出している端部が基板を超えて広がっている生物学的に適合しているワイヤがあって、部分的に保管していた、神経組織に埋め込んで、言うことができる前述の露出している端部が入力と結合された端を定電流源に非露出して、お互いから区切られる少なくとも二つの刺激電極を示したので、それぞれの前述の露出している端部のセンターの間のスペースは、生物学的に適合しているワイヤが２０ミクロンを超えない、そして、少なくとも二本の刺激電極の各々の少なくとも一部をカバーしている電気絶縁体を備えた、多重電極配列。
【請求項２２】
前記生物学的適合性のワイヤの各々が、露出された端部のコーティング、鋭くされた先端及び露出された端部の変化した長さから構成されるグループから独立して選択される特徴のうちの少なくとも一つの任意の組合せを有する、請求項２１に記載の多重電極配列。
【請求項２３】
電圧信号によりニューロンを刺激するための多重電極配列であって、
基板、少なくとも二つの刺激電極が基板、およびセンターの中に前述の基板で非露出している端部をそれぞれの少なくとも二つの前述の刺激電極には露出している端部が基板を超えて広がっている生物学的に適合しているワイヤがあって、部分的に保管していた、神経組織に埋め込んで、言うことができる前述の露出している端部が入力と結合された端を定電流源に非露出して、お互いから区切られる少なくとも二つの刺激電極を示したので、それぞれの前述の露出している端部のセンターの間のスペースは、生物学的に適合しているワイヤが４５ミクロンを超えない、そして、少なくとも二本の刺激電極の各々の少なくとも一部をカバーしている電気絶縁体を備えた、多重電極配列。
【請求項２４】
前記生物学的適合性のワイヤの各々が、露出された端部のコーティング、鋭くされた先端及び露出された端部の変化した長さから構成されるグループから独立して選択される特徴のうちの少なくとも一つの任意の組合せを有する、請求項２３に記載の多重電極配列。
【請求項２５】
ニューロンからの電圧信号を受け、電圧信号によりニューロンを刺激するための多重電極配列であって、
基板、部分的に前記基板に含まれる少なくとも一本の受電電極、基板を越えて広がっている露出された端部で炭素繊維を持っている各々の前記少なくとも一本の受電電極、基板の範囲内の露出されていない端部と神経組織に埋められることができる中心の、前記むき出しの端部は、前置増幅器への入力に結合している前記金属線の第二の端部と、金属線の最初の端部に結合する前記炭素繊維の露出されていない端部、部分的に前記基板に含まれる少なくとも一本の刺激電極、基板を越えて広がっている露出された端部で炭素繊維を持っている各々の前記少なくとも一本の刺激電極、基板の範囲内の露出されていない端部と神経組織に埋められることができる中心の、前記むき出しの端部は、電流発生器への入力に結合している前記金属線の第二の端部と、金属線の最初の端部に結合する前記炭素繊維の露出されていない端部、そして、少なくとも一部の上述の少なくとも一本の受電電極と上述の少なくとも一本の刺激電極をカバーしている電気絶縁体を備えた、多重電極配列。
【請求項２６】
前記少なくとも二つの炭素繊維の各々が、露出された端部のコーティング、鋭くされた先端及び露出された端部の変化した長さから構成されるグループから独立して選択される特徴のうちの少なくとも一つの任意の組合せを有する、請求項２５に記載の多重電極配列。
【請求項２７】
ニューロンからの電圧信号を受け、電圧信号によりニューロンを刺激するための多重電極配列であって、
基板、それぞれ、露出している端部が基板を超えて広がっている炭素繊維を持っている少なくとも一つの受電電極、基板の中の非露出している端部、およびセンターは、前述の基板で部分的に含まれた少なくとも一つの受電電極が神経組織に埋め込むことができる露出している端部を示した、前述の炭素繊維が金属線の二番目の端部に前置増幅器への入力と結合されながら示されたワイヤの最初の端部の金属と結合された端のときに非露出されて、どんな受電電極か刺激電極からも区切られる電極を受けながら言われているので、それぞれの前述の露出している端部のセンターの間のスペースは、前記炭素繊維が２０ミクロンを超えない、それぞれ、露出している端部が基板を超えて広がっている炭素繊維を持っている少なくとも一つの刺激電極、基板の中の非露出している端部、およびセンターは、前述の基板で部分的に含まれた少なくとも一つの刺激電極が神経組織に埋め込むことができる露出している端部を示した、前述の炭素繊維が金属線の二番目の端部に定電流源への入力と結合されながら示されたワイヤの最初の端部の金属と結合された端のときに非露出されて、どんな受電電極か刺激電極からも区切られる電極を受けながら言われているので、それぞれの前述の露出している端部のセンターの間のスペースは、前記炭素繊維が２０ミクロンを超えない、そして、少なくとも一部の上述の少なくとも一本の受電電極と上述の少なくとも一本の刺激電極をカバーしている電気絶縁体を備えた、多重電極配列。
【請求項２８】
前記少なくとも二つの炭素繊維の各々が、露出された端部のコーティング、鋭くされた先端及び露出された端部の変化した長さから構成されるグループから独立して選択される特徴のうちの少なくとも一つの任意の組合せを有する、請求項２７に記載の多重電極配列。
【請求項２９】
ニューロンからの電圧信号を受け、電圧信号によりニューロンを刺激するための多重電極配列であって、
基板、それぞれ、露出している端部が基板を超えて広がっている炭素繊維を持っている少なくとも一つの受電電極、基板の中の非露出している端部、およびセンターは、前述の基板で部分的に含まれた少なくとも一つの受電電極が神経組織に埋め込むことができる露出している端部を示した、前記炭素繊維が金属線の二番目の端部に前置増幅器への入力と結合されながら示されたワイヤの最初の端部の金属と結合された端のときに非露出されて、どんな受電電極か刺激電極からも区切られる電極を受けながら言われているので、それぞれの前述の露出している端部のセンターの間のスペースは、前記炭素繊維が４５ミクロンを超えない、それぞれ、露出している端部が基板を超えて広がっている炭素繊維を持っている少なくとも一つの刺激電極、基板の中の非露出している端部、およびセンターは、前述の基板で部分的に含まれた少なくとも一つの刺激電極が神経組織に埋め込むことができる露出している端部を示した、前述の炭素繊維が金属線の二番目の端部に定電流源への入力と結合されながら示されたワイヤの最初の端部の金属と結合された端のときに非露出されて、どんな受電電極か刺激電極からも区切られる電極を受けながら言われているので、それぞれの前述の露出している端部のセンターの間のスペースは、前記炭素繊維が４５ミクロンを超えない、そして、少なくとも一部の上述の少なくとも一本の受電電極と上述の少なくとも一本の刺激電極をカバーしている電気絶縁体を備えた、多重電極配列。
【請求項３０】
前記少なくとも二つの炭素繊維の各々が、露出された端部のコーティング、鋭くされた先端及び露出された端部の変化した長さから構成されるグループから独立して選択される特徴のうちの少なくとも一つの任意の組合せを有する、請求項２９に記載の多重電極配列。
【請求項３１】
電圧信号によりニューロンを刺激し、ニューロンからの電圧信号を受けるための多重電極配列であって、
基板、部分的に、前記基板（基板、基板の範囲内の露出されていない端部とセンターの向こうで広がっている露出された端部で生物学的適合性のワイヤを備えている各々の少なくとも一本の刺激電極）に含まれる少なくとも一本の刺激電極は、神経組織に埋められることができるむき出しの端部を言って、電流発生器への入力に結合する露出されていない端部、部分的に、前記基板（基板、基板の範囲内の露出されていない端部とセンターの向こうで広がっている露出された端部で生物学的適合性のワイヤを備えている各々の少なくとも一本の受電電極）に含まれる少なくとも一本の受電電極は、神経組織に埋められることができるむき出しの端部を言って、前置増幅器への入力に結合する露出されていない端部、そして、少なくとも一部の上述の少なくとも一本の受電電極と上述の少なくとも一本の刺激電極をカバーしている電気絶縁体を備えた、多重電極配列。
【請求項３２】
前記生物学的適合性のワイヤの各々が、露出された端部のコーティング、鋭くされた先端及び露出された端部の変化した長さから構成されるグループから独立して選択される特徴のうちの少なくとも一つの任意の組合せを有する、請求項３１に記載の多重電極配列。
【請求項３３】
電圧信号によりニューロンを刺激し、ニューロンからの電圧信号を受けるための多重電極配列であって、
基板、中に部分的に含まれた少なくとも一つの刺激電極が基板を言って、それぞれが露出している端部がある生物学的に適合しているワイヤが基板、基板の中の非露出している端部、およびセンターを超えて広がる少なくとも一つの刺激電極である。神経組織に埋め込んで、言うことができる前述の露出している端部が定電流源への入力と結合されて、どんな受電電極か刺激電極からも区切られる電極を受けながら示された端を非露出したので、それぞれの前述の露出している端部のセンターの間のスペースは、前記炭素繊維が２０ミクロンを超えない、そして、少なくとも一部の上述の少なくとも一本の受電電極と上述の少なくとも一本の刺激電極をカバーしている電気絶縁体を備えた、多重電極配列。
【請求項３４】
前記生物学的適合性のワイヤの各々が、露出された端部のコーティング、鋭くされた先端及び露出された端部の変化した長さから構成されるグループから独立して選択される特徴のうちの少なくとも一つの任意の組合せを有する、請求項３３に記載の多重電極配列。
【請求項３５】
電圧信号によりニューロンを刺激し、ニューロンからの電圧信号を受けるための多重電極配列であって、
基板、中に部分的に含まれた少なくとも一つの刺激電極が基板を言って、それぞれが露出している端部がある生物学的に適合しているワイヤが基板、基板の中の非露出している端部、およびセンターを超えて広がる少なくとも一つの刺激電極である。神経組織に埋め込んで、言うことができる前述の露出している端部が定電流源への入力と結合されて、どんな受電電極か刺激電極からも区切られる電極を受けながら示された端を非露出したので、それぞれの前述の露出している端部のセンターの間のスペースは、前記炭素繊維が４５ミクロンを超えない、中に部分的に含まれた少なくとも一つの受電電極が基板を言って、それぞれがさらの端部が基板、基板の中の非露出している端部、およびセンターを超えて広がっている生物学的に適合しているワイヤがある少なくとも一つの受電電極である。神経組織に埋め込んで、言うことができる前述の露出している端部が前置増幅器への入力と結合されて、どんな受電電極か刺激電極からも区切られる電極を受けながら示された端を非露出したので、それぞれの前述の露出している端部のセンターの間のスペースは、前記炭素繊維が４５ミクロンを超えない、そして、少なくとも一部の上述の少なくとも一本の受電電極と上述の少なくとも一本の刺激電極をカバーしている電気絶縁体を備えた、多重電極配列。
【請求項３６】
前記生物学的適合性のワイヤの各々が、露出された端部のコーティング、鋭くされた先端及び露出された端部の変化した長さから構成されるグループから独立して選択される特徴のうちの少なくとも一つの任意の組合せを有する、請求項３５に記載の多重電極配列。
【請求項３７】
ニューロンからの電圧信号を受け、電圧信号によりニューロンを刺激し、かつニューロン間にフィードバックを提供するための多重電極配列であって、
前記基板と、部分的に前記基板に含まれる少なくとも一本の受電電極、基板を越えて広がっている露出された端部で炭素繊維を持っている各々の前記少なくとも一本の受電電極、基板の範囲内の露出されていない端部と神経組織に埋められることができる中心の、前記むき出しの端部は、前置増幅器への入力に結合している前記金属線の第二の端部と、金属線の最初の端部に結合する前記炭素繊維の露出されていない端部、部分的に前記基板に含まれる少なくとも一本の刺激電極、基板を越えて広がっている露出された端部で炭素繊維を持っている各々の前記少なくとも一本の刺激電極、基板の範囲内の露出されていない端部と神経組織に埋められることができる中心の、前記むき出しの端部は、電流発生器への入力に結合している前記金属線の第二の端部と、金属線の最初の端部に結合する前記炭素繊維の露出されていない端部、露出している端部ができている最初の炭素繊維を含んでいて、神経組織に埋め込まれているのについて前述の基板で部分的に含まれたシステムを構成する少なくとも一つのフィードバックループが、最初に最初に入力と結合された金属線の二番目の端のときに前置増幅器に示されたワイヤの最初の端部の最初の金属と結合された炭素繊維の非露出している端のときに前述の前置増幅器の出力が帯域通過増幅器への入力と結合された、入力と結合された前述の帯域通過増幅器から出力リミッタまでの出力（定電流源と結合された前述の出力リミッタの出力）は、定電流源が二番目の金属線の二番目の前述の端と、そして、現在の供給とも結合された、二番目の炭素繊維の非露出している端まで結合された二番目の前述の金属線の前述の最初の端、神経組織に埋められることができる前記第二の炭素繊維の上述の露出された端部、そして、前記少なくとも一つの受電電極と前記少なくとも一本の刺激電極と前記少なくとも一つのフィードバックループの各々のための前記電気絶縁体を備えた、多重電極配列。
【請求項３８】
前記少なくとも二つの炭素繊維の各々が、露出された端部のコーティング、鋭くされた先端及び露出された端部の変化した長さから構成されるグループから独立して選択される特徴のうちの少なくとも一つの任意の組合せを有する、請求項３７に記載の多重電極配列。
【請求項３９】
出力リミッタが削除された、請求項３７に記載の多重電極配列。
【請求項４０】
ニューロンからの電圧信号を受け、電圧信号によりニューロンを刺激し、かつニューロン間にフィードバックを提供するための多重電極配列であって、
前記基板、露出している端部が基板を超えて広がっている炭素繊維を持っている少なくとも一つの受電電極、基板の中の非露出している端部、およびセンターは、前述の基板で部分的に含まれた少なくとも一つの受電電極が神経組織に埋め込むことができる露出している端部を示したとそれぞれ言った、ワイヤの最初の端部に金属と結合された、前述の炭素繊維の非露出している端、前置増幅器への入力と結合されて、示される前述の金属線の二番目の端のときにどんな受電電極からも区切られる電極を受けるか、刺激電極またはフィードバックが輪にされるので、それぞれの前述の露出している端部のセンターの間のスペースは、前記炭素繊維が２０ミクロンを超えない、露出している端部が基板を超えて広がっている炭素繊維を持っている少なくとも一つの刺激電極、基板の中の非露出している端部、およびセンターは、前述の基板で部分的に含まれた少なくとも一つの刺激電極が神経組織に埋め込むことができる露出している端部を示したとそれぞれ言った、ワイヤの最初の端部に金属と結合された、前述の炭素繊維の非露出している端、それぞれの前述の露出している端部のセンターの間のスペースが炭素繊維を言ったように定電流源と、どんな受電電極からも区切られる、前述の刺激電極か、刺激電極かフィードバックループへの入力と結合される前述の金属線の二番目の端は２０ミクロンを超えない、露出している端部ができている最初の炭素繊維を含んでいて、神経組織に埋め込まれているのについて前述の基板で部分的に含まれたシステムを構成する少なくとも一つのフィードバックループが、最初に最初に入力と結合された金属線の二番目の端のときに前置増幅器に示されたワイヤの最初の端部の最初の金属と結合された炭素繊維の非露出している端のときに前述の前置増幅器の出力が帯域通過増幅器への入力と結合された、入力と結合された前述の帯域通過増幅器から出力リミッタまでの出力（定電流源と結合された前述の出力リミッタの出力）は、定電流源が二番目の金属線の二番目の前述の端と、そして、現在の供給とも結合された、二番目の炭素繊維の非露出している端まで結合された二番目の前述の金属線の前述の最初の端、各々の前記露出された端の中心の間の間隔が炭素繊維を言うように、神経組織と少しの受電電極も、刺激電極または他のフィードバックループから間隔を置いて配置されている前記フィードバックループに埋められることができる前記第二の炭素繊維の上述の露出された端部は、２０ミクロンを上回らない、そして、前記少なくとも一つの受電電極と前記少なくとも一本の刺激電極と前記少なくとも一つのフィードバックループの各々のための前記電気絶縁体を備えた、多重電極配列。
【請求項４１】
前記少なくとも二つの炭素繊維の各々が、露出された端部のコーティング、鋭くされた先端及び露出された端部の変化した長さから構成されるグループから独立して選択される特徴のうちの少なくとも一つの任意の組合せを有する、請求項４０に記載の多重電極配列。
【請求項４２】
出力リミッタが削除された、請求項４０に記載の多重電極配列。
【請求項４３】
ニューロンからの電圧信号を受け、電圧信号によりニューロンを刺激し、かつニューロン間にフィードバックを提供するための多重電極配列であって、
前記基板、露出している端部が基板を超えて広がっている炭素繊維を持っている少なくとも一つの受電電極、基板の中の非露出している端部、およびセンターは、前述の基板で部分的に含まれた少なくとも一つの受電電極が神経組織に埋め込むことができる露出している端部を示したとそれぞれ言った、ワイヤの最初の端部に金属と結合された、前述の炭素繊維の非露出している端、前置増幅器への入力と結合されて、示される前述の金属線の二番目の端のときにどんな受電電極からも区切られる電極を受けるか、刺激電極またはフィードバックが輪にされるので、それぞれの前述の露出している端部のセンターの間のスペースは、前記炭素繊維が４５ミクロンを超えない、露出している端部が基板を超えて広がっている炭素繊維を持っている少なくとも一つの刺激電極、基板の中の非露出している端部、およびセンターは、前述の基板で部分的に含まれた少なくとも一つの刺激電極が神経組織に埋め込むことができる露出している端部を示したとそれぞれ言った、ワイヤの最初の端部に金属と結合された、前述の炭素繊維の非露出している端、それぞれの前述の露出している端部のセンターの間のスペースが炭素繊維を言ったように定電流源と、どんな受電電極からも区切られる、前述の刺激電極か、刺激電極かフィードバックループへの入力と結合される前述の金属線の二番目の端は４５ミクロンを超えない、露出している端部ができている最初の炭素繊維を含んでいて、神経組織に埋め込まれているのについて前述の基板で部分的に含まれたシステムを構成する少なくとも一つのフィードバックループが、最初に最初に入力と結合された金属線の二番目の端のときに前置増幅器に示されたワイヤの最初の端部の最初の金属と結合された炭素繊維の非露出している端のときに前述の前置増幅器の出力が帯域通過増幅器への入力と結合された、入力と結合された前述の帯域通過増幅器から出力リミッタまでの出力（定電流源と結合された前述の出力リミッタの出力）は、定電流源が二番目の金属線の二番目の前述の端と、そして、現在の供給とも結合された、二番目の炭素繊維の非露出している端まで結合された二番目の前述の金属線の前述の最初の端、各々の前記露出された端の中心の間の間隔が炭素繊維を言うように、神経組織と少しの受電電極も、刺激電極または他のフィードバックループから間隔を置いて配置されている前記フィードバックループに埋められることができる前記第二の炭素繊維の上述の露出された端部は、４５ミクロンを上回らない、そして、前記少なくとも一つの受電電極と前記少なくとも一本の刺激電極と前記少なくとも一つのフィードバックループの各々のための前記電気絶縁体を備えた、多重電極配列。
【請求項４４】
前記少なくとも二つの炭素繊維の各々が、露出された端部のコーティング、鋭くされた先端及び露出された端部の変化した長さから構成されるグループから独立して選択される特徴のうちの少なくとも一つの任意の組合せを有する、請求項４３に記載の多重電極配列。
【請求項４５】
出力リミッタが削除された、請求項４３に記載の多重電極配列。
【請求項４６】
電圧信号によりニューロンを刺激し、ニューロンからの電圧信号を受け、かつニューロン間にフィードバックを提供するための多重電極配列であって、
基板、部分的に、前記基板（基板、基板の範囲内の露出されていない端部とセンターの向こうで広がっている露出された端部で生物学的適合性のワイヤを備えている各々の少なくとも一本の刺激電極）に含まれる少なくとも一本の刺激電極は、神経組織に埋められることができるむき出しの端部を言って、電流発生器への入力に結合する露出されていない端部、部分的に、前記基板（基板、基板の範囲内の露出されていない端部とセンターの向こうで広がっている露出された端部で生物学的適合性のワイヤを備えている各々の少なくとも一本の受電電極）に含まれる少なくとも一本の受電電極は、神経組織に埋められることができるむき出しの端部を言って、前置増幅器への入力に結合する露出されていない端部、露出している端部が基板を超えて広がっている最初の生物学的に適合しているワイヤ、基板の中の非露出している端部、およびセンターを含んで、前述の基板で部分的に含まれたシステムを構成する少なくとも一つのフィードバックループが、最初に生物学的に適合しているワイヤが入力と結合された端を前置増幅器に非露出した、帯域通過増幅器への入力と結合された前述の前置増幅器の出力、入力と結合された前述の帯域通過増幅器から出力リミッタまでの出力（定電流源と結合された前述の出力リミッタの出力）は、定電流源が二番目の生物学的に適合しているワイヤの二番目の端と、そして、現在の供給とも結合された、神経組織に埋め込むことができる二番目の前述の生物学的に適合しているワイヤの前述の最初の端、そして、前記少なくとも一つの受電電極、前記少なくとも一つの刺激電極、前記少なくとも一つのフィードバックループの各々のための前記電気絶縁体と、前記少なくとも一つの受電電極及び前記少なくとも一つの刺激電極の少なくとも一部をカバーしている電気絶縁体を備えた、多重電極配列。
【請求項４７】
前記生物学的適合性のワイヤの各々が、露出された端部のコーティング、鋭くされた先端及び露出された端部の変化した長さから構成されるグループから独立して選択される特徴のうちの少なくとも一つの任意の組合せを有する、請求項４６に記載の多重電極配列。
【請求項４８】
出力リミッタが削除された、請求項４６に記載の多重電極配列。
【請求項４９】
電圧信号によりニューロンを刺激し、ニューロンからの電圧信号を受け、かつニューロン間にフィードバックを提供するための多重電極配列であって、
基板、中に部分的に含まれた少なくとも一つの刺激電極が基板を言って、それぞれが露出している端部がある生物学的に適合しているワイヤが基板、基板の中の非露出している端部、およびセンターを超えて広がる少なくとも一つの刺激電極である。神経組織に埋め込んで、言うことができる前述の露出している端部が入力と結合された端を定電流源に非露出して、どんな受電電極か刺激電極からも区切られる刺激電極を示したので、それぞれの前述の露出している端部のセンターの間のスペースは、生物学的に適合しているワイヤが２０ミクロンを超えない、中に部分的に含まれた少なくとも一つの受電電極が基板を言って、それぞれがさらの端部が基板、基板の中の非露出している端部、およびセンターを超えて広がっている生物学的に適合しているワイヤがある少なくとも一つの受電電極である。神経組織に埋め込んで、言うことができる前述の露出している端部が前置増幅器への入力と結合されて、どんな受電電極か刺激電極からも区切られる電極を受けながら示された端を非露出したので、それぞれの前述の露出している端部のセンターの間のスペースは、生物学的に適合しているワイヤが２０ミクロンを超えない、露出している端部が基板を超えて広がっている最初の生物学的に適合しているワイヤ、基板の中の非露出している端部、およびセンターを含んで、前述の基板で部分的に含まれたシステムを構成する少なくとも一つのフィードバックループが、最初に生物学的に適合しているワイヤが入力と結合された端を前置増幅器に非露出した、帯域通過増幅器への入力と結合された前述の前置増幅器の出力、入力と結合された前述の帯域通過増幅器から出力リミッタまでの出力、定電流源と結合された前述の出力リミッタの出力、前述の定電流源が二番目の生物学的に適合しているワイヤの二番目の端、および現在の供給についても神経組織に埋め込むことができる二番目の前述の生物学的に適合しているワイヤの前述の最初の端まで結合して、どんな受電電極からも区切られるフィードバックループ、刺激電極または他のフィードバックループを示したので、それぞれの前述の露出している端部のセンターの間のスペースは生物学的に適合しているワイヤが２０ミクロンを超えない、そして、前記少なくとも一つの受電電極、前記少なくとも一つの刺激電極、前記少なくとも一つのフィードバックループの各々のための前記電気絶縁体と、前記少なくとも一つの受電電極及び前記少なくとも一つの刺激電極の少なくとも一部をカバーしている電気絶縁体を備えた、多重電極配列。
【請求項５０】
前記生物学的適合性のワイヤの各々が、露出された端部のコーティング、鋭くされた先端及び露出された端部の変化した長さから構成されるグループから独立して選択される特徴のうちの少なくとも一つの任意の組合せを有する、請求項４９に記載の多重電極配列。
【請求項５１】
出力リミッタが削除された、請求項４９に記載の多重電極配列。
【請求項５２】
電圧信号によりニューロンを刺激し、ニューロンからの電圧信号を受け、かつニューロン間にフィードバックを提供するための多重電極配列であって、
基板、中に部分的に含まれた少なくとも一つの刺激電極が基板を言って、それぞれが露出している端部がある生物学的に適合しているワイヤが基板、基板の中の非露出している端部、およびセンターを超えて広がる少なくとも一つの刺激電極である。神経組織に埋め込んで、言うことができる前述の露出している端部が入力と結合された端を定電流源に非露出して、どんな受電電極か刺激電極からも区切られる刺激電極を示したので、それぞれの前述の露出している端部のセンターの間のスペースは、生物学的に適合しているワイヤが４５ミクロンを超えない、中に部分的に含まれた少なくとも一つの受電電極が基板を言って、それぞれがさらの端部が基板、基板の中の非露出している端部、およびセンターを超えて広がっている生物学的に適合しているワイヤがある少なくとも一つの受電電極である。神経組織に埋め込んで、言うことができる前述の露出している端部が前置増幅器への入力と結合されて、どんな受電電極か刺激電極からも区切られる電極を受けながら示された端を非露出したので、それぞれの前述の露出している端部のセンターの間のスペースは、生物学的に適合しているワイヤが４５ミクロンを超えない、露出している端部が基板を超えて広がっている最初の生物学的に適合しているワイヤ、基板の中の非露出している端部、およびセンターを含んで、前述の基板で部分的に含まれたシステムを構成する少なくとも一つのフィードバックループが、最初に生物学的に適合しているワイヤが入力と結合された端を前置増幅器に非露出した、帯域通過増幅器への入力と結合された前述の前置増幅器の出力、入力と結合された前述の帯域通過増幅器から出力リミッタまでの出力、定電流源と結合された前述の出力リミッタの出力、前述の定電流源が二番目の生物学的に適合しているワイヤの二番目の端、および現在の供給についても神経組織に埋め込むことができる二番目の前述の生物学的に適合しているワイヤの前述の最初の端まで結合して、どんな受電電極からも区切られるフィードバックループ、刺激電極または他のフィードバックループを示したので、それぞれの前述の露出している端部のセンターの間のスペースは生物学的に適合しているワイヤが４５ミクロンを超えない、そして、上述の少なくとも一本の受電電極、前記少なくとも一本の刺激電極、前記少なくとも一本のフィードバックループの各々のための前記電気絶縁体を備えた、多重電極配列。
【請求項５３】
前記生物学的適合性のワイヤの各々が、露出された端部のコーティング、鋭くされた先端及び露出された端部の変化した長さから構成されるグループから独立して選択される特徴のうちの少なくとも一つの任意の組合せを有する、請求項５２に記載の多重電極配列。
【請求項５４】
出力リミッタが削除された、請求項５２に記載の多重電極配列。
【請求項５５】
基板、少なくとも二個のバイオセンシング電極回路であり、露出している端部が基板、基板の中の露出している端部、およびセンターを超えて広がっていて、それぞれが炭素繊維を持っているバイオセンシング電極を含む少なくとも二個のバイオセンシング電極回路を示した、参照ワイヤに結びつけられている金属線の最初の端、前述の金属線の二番めの端部に電流測定装置に結びつけられながら結合される炭素繊維と電圧ソースに結びつけられる前述の電流測定装置と前置増幅器、前述の電圧情報筋は示した、そして、少なくともバイオセンシングしている電極と参照ワイヤの各々の部分をカバーしている電気絶縁体を備えた、バイオセンシング装置。
【請求項５６】
前記少なくとも二つの炭素繊維の各々が、露出された端部のコーティング、鋭くされた先端及び露出された端部の変化した長さから構成されるグループから独立して選択される特徴のうちの少なくとも一つの任意の組合せを有する、請求項５５に記載のバイオセンシング装置。
【請求項５７】
基板、少なくとも二個のバイオセンシング電極回路であり、露出している端部が基板を超えて広がっていて、それぞれが炭素繊維を持っている感じ電極を含む少なくとも二個のバイオセンシング電極回路を示した、基板、およびセンターの中の露出している端部は、金属線の二番目の端部に電流測定装置に結びつけられながら示された金属線の最初の端のときに結合される炭素繊維が電圧ソースと前置増幅器に結びつけられる電流測定装置を示した、それぞれの前述の露出している端部のセンターの間のスペースが、炭素繊維が２０ミクロンを超えないと言ったように少なくとも参照ワイヤの、そして、前述の二が電極をバイオセンシングしている状態でお互いから区切られながら結合されている電圧情報筋、そして、少なくともバイオセンシングしている電極と参照ワイヤの各々の部分をカバーしている電気絶縁体を備えた、バイオセンシング装置。
【請求項５８】
前記少なくとも二つの炭素繊維の各々が、露出された端部のコーティング、鋭くされた先端及び露出された端部の変化した長さから構成されるグループから独立して選択される特徴のうちの少なくとも一つの任意の組合せを有する、請求項５７に記載のバイオセンシング装置。
【請求項５９】
基板、露出している端部が基板を超えて広がっている炭素繊維を持っている感じ電極を含む少なくとも二個のバイオセンシング電極回路、基板の中の露出している端部、およびセンターは、少なくとも二個のバイオセンシング電極回路が金属線の最初の端のときに結合される炭素繊維を示したとそれぞれ言った、電流測定装置に結びつけられるワイヤの二番目の端の前述の金属、それぞれの前述の露出している端部のセンターの間のスペースが炭素繊維を言ったように電圧ソース、前置増幅器、参照ワイヤに結びつけられている、前述の電圧ソース、およびお互いから区切られる前述の少なくとも二バイオセンシング電極に結びつけられる前記電流測定装置は４５ミクロンを超えない、そして、少なくともバイオセンシングしている電極と参照ワイヤの各々の部分をカバーしている電気絶縁体を備えた、バイオセンシング装置。
【請求項６０】
前記少なくとも二つの炭素繊維の各々が、露出された端部のコーティング、鋭くされた先端及び露出された端部の変化した長さから構成されるグループから独立して選択される特徴のうちの少なくとも一つの任意の組合せを有する、請求項５９に記載のバイオセンシング装置。
【請求項６１】
基板、少なくとも二個のバイオセンシング電極回路（少なくとも露出している端部が基板、基板の中の露出している端部、およびセンターを超えて広がっていて生物学的に適合しているワイヤを持っているバイオセンシング電極を含む電極回路をバイオセンシングするそれぞれの前述の二）が電流測定装置に結びつけられる生物学的に適合しているワイヤを示した、お互いから区切られる電圧ソースと前置増幅器に結びつけられる装置の、そして、参照ワイヤに結びつけられている、前述の電圧ソースの、そして、少なくとも電極をバイオセンシングする前記二つの電流測定はそれぞれの前述の露出している端部のセンターの間のスペースが、前記炭素繊維が２０ミクロンを超えないように、そして、少なくともバイオセンシングしている電極と参照ワイヤの各々の部分をカバーしている電気絶縁体を備えた、バイオセンシング装置。
【請求項６２】
前記生物学的適合性のワイヤが、露出された端部のコーティング、鋭くされた先端及び露出された端部の変化した長さから構成されるグループから独立して選択される特徴のうちの少なくとも一つの任意の組合せを有する、請求項６１に記載のバイオセンシング装置。
【請求項６３】
基板、少なくとも二個のバイオセンシング電極回路（少なくとも露出している端部が基板、基板の中の露出している端部、およびセンターを超えて広がっていて生物学的に適合しているワイヤを持っているバイオセンシング電極を含む電極回路をバイオセンシングするそれぞれの前述の二）が電流測定装置に結びつけられる生物学的に適合しているワイヤを示した、お互いから区切られる電圧ソースと前置増幅器に結びつけられる装置の、そして、参照ワイヤに結びつけられている、前述の電圧ソースの、そして、少なくとも電極をバイオセンシングする前述の二の電流測定はそれぞれの前述の露出している端部のセンターの間のスペースが、炭素繊維が４５ミクロンを超えないように、そして、少なくともバイオセンシングしている電極と参照ワイヤの各々の部分をカバーしている電気絶縁体を備えた、バイオセンシング装置。
【請求項６４】
前記生物学的適合性のワイヤが、露出された端部のコーティング、鋭くされた先端及び露出された端部の変化した長さから構成されるグループから独立して選択される特徴のうちの少なくとも一つの任意の組合せを有する、請求項６３に記載のバイオセンシング装置。
【請求項６５】
電圧信号を受けるための受電電極はニューロンから入力したと、前記前置増幅器に結合している前記受電電極、前記帯域通過増幅器に結合する前記前置増幅器、出力リミッタに結合する前記帯域通過増幅器、前記電流発生器に結合する前記出力リミッタ、そして、前記刺激電極に結合する前記電流発生器を備えた、ニューロンから電圧信号を得るためのシステム。
【発明の詳細な説明】
【技術分野】
【０００１】
発表が身体の組織で一般に（１）記録のフィールドと関連づけるプレゼントまたは例えばいろいろな現象（たとえばニューロンの活動電位または液体のpH）（２）の存在のために他の物質範囲の適当な電気電圧による身体の組織を刺激するのミリボルト補綴学と他のアプリケーションのために、そして、データを記録していて、分析している（３）が身体の組織から受けたこと。
【背景技術】
【０００２】
中枢神経系（ＣＮＳ）と末梢神経系（ＰＮＳ）は、化学シナプスで神経伝達物質の発散を通して活動電位によって電気起動を送るニューロンによってまたは満たされたイオンが細胞の間で直接流れる隙間交差点によって情報を関連づける。ニューロンの起動のパターンは、ＣＮＳとＰＮＳの言語である。電気生理学はニューロンの生物電気起動の研究であって、記録が神経起動でできている現在の発明のような器具の使用を含む。神経起動（他の調査のツールと同様に）の記録はＣＮＳとＰＮＳの働きについての知識をつくったが、まだ発見する多くが明らかにある。
【０００３】
多数の理由のために最後の10年に複数のニューロンの活動を封じる同時レコーディングに対する関心は、増加していた。一つの理由は、ニューロンが感覚の認識、自動車活動と他の神経活動を許すために一緒に働く方法の大きい絵論を進めることになっている。神経コード化している、例えば同期の発砲（歌手（1997））（それは一つの携帯記録からも識別できない）の基本的な面は、同時の神経記録によって見つけられた。他は感覚のコードを仮定した、また、発砲（ソープほか2001）の順序のような、同時に要求してください、マルチ単位記録。ニューロン（スパイク）の活動電位を記録するための多重電極配列は、また、刺激することのための財産として、等しく順応性がある感覚の、例えば網膜、脳又は他の神経組織。
【０００４】
多重電極配列には神経系の範囲内で万能のアプリケーションがある、そして、網膜は配列を記録しているマルチ単位の発展のための特に突出した場所であった。大部分の彼らの入力なしでくぼんだ州にある「脳スライス」の準備を比較する。網膜は彼らの体から数ミリメートル神経節細胞の軸索を除いてどんな細胞でもの処理を減らすことなく取り出されることができる。
【０００５】
網膜への入力が光（それは供給されることができて、元の位置の場合のようにちょうど皿で同様に支配されることができる）であるので、網膜は多くの時間反応のほとんど通常のありさまで試験管内で操作されることができる。配列記録のための技術的な利点は、網膜において、全ての神経節細胞を釘で打ちつけることが薄紙の表面の近くに一つの、アクセスできる層に位置するということである。記録されるガングリオン細胞層が底かトップの上にあるかどうかに関して、網膜記録のために開発される多重電極配列の二つの基本的スタイルがある。タイプを記録している底のうちの一つは、マイスター、ベイラーと同僚（1994）によってとても開発されて、網膜がガングリオン細胞側を置かれて、上記から光で刺激される部屋の底に取り付けられる電極から成る。部屋の底構成は、さらにGrumetほかによって（2000）報告した、そして、Heuschkelほか（2002）、そして、現在の発明のそれとは非常に異なる典型的インター電極間隔と建設で、脳スライス記録のために商業的なバージョンの中に存在してください。皿底配列の長所は彼らがゴツゴツしているということである。そして、記録は単に配列の活発な部分の上に組織の適切な部分を置くことによってだけ得られる。しかし、インター体間隔が20マイクロメートルの低さでありえるニューロンの少数しか離れてそれほど更なる電極で記録されないので、大部分の市販のレコーディング配列はコーディング問題（例えば神経組織の同期の発砲）に対処することにわずかにふさわしいだけである。組織の与えられた領域の電極のより大きな密度は、データのレコーディングがその組織で最も重要な特徴を集めるかどうか決定することにおける要因である。同様に、5,000以上の他のニューロンに接続する間、たとえば、皮質のニューロン体が20マイクロメートル間隔ででありえる所で、刺激的なニューロンのための電極のより大きな密度はより、ありとあらゆる神経組織でそういう密度と連結性に接近しそうである。
【０００６】
（参考文献）
【非特許文献１】Amthor FR及びOyster CW著「Spatial organization of retinal information about movement detection」Proc. Natl. Acad Sci. USA., 1995年、92 (9): 4002-4005
【非特許文献２】Amthor, FR、Tootle, JS、Yildirim, Abidin著「A new transparent multi-unit recording array system fabricated by in-house laboratory technology」J. Neurosci. Methods, 2003年、126 (2): 209-219
【非特許文献３】Grumet AE、Wyatt, Jr. JL 及びRizzo, III JF著「Multi-electrode stimulation and recording in the isolated retina」J. Neurosci. Methods, 2000年、101: 31-42
【非特許文献４】Heuschkel MO、Fejtl M, Raggenbass M、Bertrand D 及び Renaud P.著「A three dimensional multi-electrode array for multi-site stimulation and recording in brain slices」J. Neurosci. Methods, 2002年、114: 135-148
【非特許文献５】Meister M、Pine J 及び Baylor DA. 著「Multi-neuronal signals from the retina: acquisition and analysis」J. Neurosci. Methods, 1994年、51: 95-106
【非特許文献６】Nordhausen、C. T.、Maynard, E. M. 及びNormann, R. A. 著「Single Unit Recording Capabilities of a 100 Microelectrode Array」Brain Res. , 1996年、726: 129-140
【非特許文献７】Sandison M、Curtis ASG 及びWilkinson CDW著「Effective extra-cellular recording from vertebrate neurons in culture using a new type of micro-electrode array」J. Neurosci. Methods, 2002年、114: 63-71
【非特許文献８】Singer W、Engel AK、Kreiter AK、Monk, MHJ、Neuenschwander S 及びRoelfsema P著「Neuronal assemblies: necessity, signature and detectability」TINS, 1997年、1 (7): 252-261
【非特許文献９】Thorpe S、Delorme A 及びVan Rullen, R. 著「Spike-based strategies for rapid processing. Neural Networks」2001年、14: 715-725
【発明の開示】
【発明が解決しようとする課題】
【０００７】
試験管内の実験のために、不利がまた、上記にゆだねられる典型的電極間隔の他に、皿‐底配列アプローチにある。最初は、配列が記録する場所を変えるために、組織の全部の部分が身体的に動かされなければならないということである。網膜にいくぶん特定の第二の問題は、皿‐底配列がたいてい、網膜が残る孤立した洗眼コップ準備が顔料上皮に付随したより、それほど強くない孤立した網膜準備を使うということである。さらに、ガングリオン携帯記録のために、上がっていて、組織のガングリオン細胞側の過冷却が細胞を釘で打ちつける長期健康を促進するので、孤立した網膜準備は通常、下ってより健康的でないマウントしたガングリオン細胞側である。
【課題を解決するための手段】
【０００８】
記録計として、一つの具体化である本発明は、デモをしたどんな与えられた電極でもほとんど多くの神経節細胞が配列要素として記録されることができて少なくとも一つの使える記録を、二つか三つの使えるガングリオン携帯記録を与えている何本かの電極、それで、そのオーバーオールで、持つ50%の産出高よりよい。網膜記録は４〜６時間以上安定している、そして、網膜の異なる部位は配列を新しい網膜位置の方へ動かすことによって簡単に調査されることができる。発明も長い期間の間使えることという長所があって、どんな電気生理学研究所ででも見つかりそうな決まりきったテクノロジーを使用して、手で簡単に製作される。レコーディングの高い可能性がニューロンの多くから同時に神経組織の与えられた領域にあるように、発明は神経組織の与えられた領域をオーバーサンプルするのに比類なく向いている。同様に、電極の間の発明の小距離は、神経組織の与えられた領域で、ニューロンの多くの同時の刺激を許する。
【０００９】
網膜ガングリオンから細胞側を上へ記録するマルチ配列構成はノーマンと協力者（1996）によって開発されもして、サンディソンほかで（2002）もあった。そして、他の一つであった。上記からのレコーディングは、得られる結果に基づく組織で、最適の場所に配列の簡単で急速な変化を許する。しかし、網膜において、配列が透明でないので、現存している上司に接近している配列のいくつかに関する問題はあまりに大きいインター要素間隔または増えている無傷の網膜‐顔料上皮を使うことができないことを含む。そして、視覚の刺激に電極から反対側の組織の側から来ることを強制する。網膜において、比較的透過性マルチ電極配列（ここに記述される具体化のうちの一つ）は、洗眼コップか孤立した網膜準備でレコーディングを許す。
【発明を実施するための最良の形態】
【００１０】
（Ｉ網膜のための多重電極記録配列）記録装置のように、マルチ電極配列システムは三つの主な要素から成る。（１）配列とその据え付け、（２）記録のためのデータ収集システム、（３）データ抽出、刺激支配と分析システムである。
【００１１】
活動電位のようないろいろな現象を示すのに用いられることもできる金属または炭素繊維による多重電極配列は、記述される。必要に応じて、基板からの炭素繊維の先端は、金属（例えば電気のコンダクタンスを増やす金または銀）で覆われていることができる。また、金属線が炭素繊維の代わりに使われるならば、これらの金属線の露出された端はカーボンのようなより生物学的適合性の物質で覆われていることができる。記述されることが網膜のレコーディングのための具体化であるけれども、多重電極を記録している配列とシステムがどんな神経組織からでも記録まで使われることができる。
【００１２】
網膜配列とその実装。配列は、次に、標準（高密度）に付けられる基板の上で実装される一組の個々の微小電極から成る。050は、「ヘッダ」又は「相互接続」と呼ばれている格子電気コネクターを少しずつ動かす。（ミル-マックス、Oyster Bay、NY）、それはいろいろな数のピンの一つで複数の列バージョンで利用できる。透明でありえる基板（たとえば雲母または透明なアセテート）は、このヘッダに接着する。そして、電極は基板に接合される。透明な基板は、コネクタ端で広くて、ざっと三者間の状態を持ち、そして、図１Ａで図式的に示されるように、電極からの数百マイクロメートル幅のチップ範囲での端を有する。個々の電極は一般的に、ポリウレタンで絶縁される８マイクロメートル又は１２マイクロメートル直径炭素繊維（Thornel T-500,12K、Amoco Performance Products、Greenville、SC）である。しかし、タングステンワイヤ（1ミル、２５マイクロメートルの直径）が同様に使われた。
【００１３】
多重電極配列はいくつかの個々の電極から作られる。そして、各々の電極はレコーディングにふさわしく、それを見つけるため検査され得る。炭素繊維は、一般的にゆるい束で供給される。繊維の長さはこれらの束のうちの一つの終わりから切られて、多数の繊維の端は、両面（二重のスティック、スコッチ）セロハンテープの一片の端の上へ軽く押し付けられる。個々の繊維の端のいくつかが分離できるように、繊維は、顕微鏡の分析の下で「扇形に広げられる」。細い裸の銅のワイヤの３センチメートルの長さ（#43AWG、５０マイクロメートルの直径）は、銅のワイヤがおよそ１ｍｍ近く個々の炭素繊維に重なるまで、微調整装置で進められる。コロイド状銀のペースト（Ted Pella、Fadding、CA）のような結束しているエージェントの1滴の小さな伝導は、銅のワイヤに電気的に、そして、機械的に炭素繊維を結合することに慣れている。ワイヤ繊維集合はその後テープから引き離され重なる範囲はさらなる機械の完全性と絶縁のためにポリウレタン（Delta Ceramcoat Gloss Exterior/Interior Varnish、Whittier、CA）のような明白に結束しているエージェントで覆われている。
【００１４】
一つの小さな火の粉が数十マイクロメートルもの先端で離れる長さを腐食するまで、繊維はそれから、陰極として高電圧の（1000-2000ボルトのDC）正に荷電するステンレス鋼点を炭素繊維にあげることによって電解で鋭くされる。炭素繊維はそれから「U」の形をした部分ステンレス鋼針金の中に、1滴の小さなポリウレタンの中へそれを降ろすことと、ポリウレタンのおよそ10-20のコートがすでにポリウレタンで絶縁された銅のワイヤの重複でチップ範囲から端まで作られるまで、繊維を繰り返し進め戻すことによって先端のおよそ１０マイクロメートル以内に絶縁されている。これは、炭素繊維の先端がポリウレタン低下に決して入らないと保証するために、詳細に検査している顕微鏡の下でされる。ポリウレタンを絶縁材料に選ぶ主要な理由のうちの一つはその表面張力であった、そして、遅い乾燥特性は上記のような一つのステップでチップまで電極を絶縁することを可能にした。個々の微小電極を作ることにおける最後のステップは、1滴の銀に電気メッキをしている溶液（Vigor Silver Electroplating Solution, B. Jadow & Sons, New York、NY 10010）にチップを注ぎ込んで、顕微鏡観察の分析の下で２、３秒の間流れ（先端否定）の2、3のマイクロアンプを通過することによってチップ範囲に銀メッキすることである。個々の電極は、数分で製造されることができる。ポリウレタンを絶縁された炭素繊維の先端の端は、図２Ａで示される。
【００１５】
電極のインピーダンスは、銀メッキしている手順の間、測定されることができる。不十分に露出された先端を持っている電極は、十分な表面被覆を通用していると認めなくて、十分な記録をしない。これは、実際のインピーダンスと相関し得る。なぜなら、表面被覆がアセンブリの前にされることができるので、これらは使用から拒絶されることができる。配列の電極のインピーダンスは、1000Hzで100nAの恒常的な流れで測定される。大部分の電極は、500kΩと１MΩの間でインピーダンスを持つ。2、3の電極は、１と５MΩの間でインピーダンスを持ち、低いインピーダンスによるそれらより確実に、より少なく記録する。5MΩsより高いインピーダンスによる電極は、めったに使える記録をうまない。
【００１６】
炭素繊維の代わりに、プラチナ、チタン、イリジウム、プラチナイリジウム合金、銀または他の類似した金属のような生物学的適合性の金属から成るワイヤが、使われ得る。これらの生物学的適合性のワイヤの使用は、基板に埋められる炭素繊維と金属線の間で結合の必要を除く。
【００１７】
配列が、網膜（光路の少ないパーセンテージを妨げている炭素繊維だけで）で働くために透明であるために、それは光学刺激経路から電極の銅のワイヤ部分を取り除くのに必要である。これは、電極を45度角度で網膜の方へ進められることができる任意の透明な基板（たとえば雲母または透明なアセテート）にでも取り付けることによってされる。記録される網膜神経節細胞が一つの層であるので、これは同じ水平面の全てのチップが置かれる電極の軸に沿って進むように、電極の先端が正確に置かれなければならないことを順番に意味する。この角度アプローチの相殺された補償は、図１Ｂに示される。
【００１８】
個々の微小電極は、層で配列に置かれる。数がいかなる目的のためにも多様であることができるけれども、層につき６〜１０本の電極が一般的にある。調整のために、ナイロンメッシュ（モノフィラメントCloth、２０ミクロン、Small Parts、マイアミLakes、FL 33014）の小さな部分は、電極が電極配列がそれに進められるとき、網膜表面が遭遇される角度で接合される基板の先端に、一時的に付けられなければならない。ちょうど下で（およそ２５マイクロメートル）、このメッシュは、電極についての情報が集合の間に載置されるアセテート層である。炭素繊維がメッシュによって行って、透明なアセテートに載置されるように、個々の微小電極は微調整装置で降ろされる。1滴の小さなポリウレタンは、基板からのその出口の近くで、適所に炭素繊維を結合する。この最初の滴が２、３秒の間凝固したとき、第二の低下は基板に銅の針金を結合する。そして、銅のワイヤの反対側はそれからリリースされ得る。それから、次の微小電極は層が終わるまで、その層と次で置かれる。この点で、さらなる層のために、ポリウレタンの2、3のコートのどちらか一方は全ての最初の層の上に加えられる、あるいは、第二の層のための基板として、雲母の小さな部分は最初の層のトップにポリウレタンで接合される。最後に、全ての個々の微小電極が集められたあと、銅のワイヤは相互接続ヘッダのピンコネクタにはんだ付けされる。
【００１９】
炭素繊維がとても柔軟であるので、先端はおよそ１ｍｍ未満の基板を越えて広がる、さもなければ、過冷却流体の表面張力は先端が互いの方へ曲がって、場合によってはくっつき合う原因になることがありえる。電極チップと基板の間のミリメートル差の大きい利点は、しかし、先端だけが組織の上に、それを最小限に崩壊させて、網膜とスーパーフサテ（superfusate）の妨げられてない流れにあるということである。そのうえ、網膜において、基板を越えた十分を広げない微小電極は軸索から記録だけの傾向がある。そして、集団符号化を調べるために必要に応じて、配列のサイトのまわりにきつく配信されない受け入れるフィールドに終わる。図２のＢは、センターが150-200ミクロンである二枚の層の電極を備えた配列を示す。それらが一緒に詰め込まれるならば、内部電極間隔が２０ミクロン未満であるように、12マイクロメートルの炭素繊維のポリウレタン層は20マイクロメートル未満に絶縁された繊維の総直径を持ってくる。より小さな直径炭素繊維（例えば、4ミクロン）の使用は、センターの間隔が10ミクロン未満である電極を生産し得る。先行技術の現在の配列電極は、一般的に非常により大きなセンターである。電極は、電極間隔の若干の変わりやすさを持つ。電極チップは、プラスマイナス４０マイクロメートルにもよって片寄っているかもしれない、そして、先端拡張はプラスマイナス２５マイクロメートルによる。
【００２０】
網膜多数の１６の要素は、全ての必需品とジグがセットアップのままである駅で、およそ１２時間の労働時間に造られることができる。個々の微小電極の建設に１０分未満がかかる。そして、それは銅のワイヤに炭素繊維を結合することを含む。そして、点に炭素繊維にエッチングする。そして、ポリウレタンで先端まで炭素繊維をおおう、それから、先端に銀メッキする。最も長い時間が、各々の電極を集会に加える際に使われる。炭素繊維が集会にあるまで、完結した微小電極は降ろされて、それから、炭素繊維についての情報がメッシュの正しい穴を通り抜けるまで、進んだ。これは、時々いくつかの試みをする。最も難しい部分は、最初の絆を作るために、配列の端の近くで、一滴の非常に小さなポリウレタンを繊維に置いている。それから、よりかなりのポリウレタン落差は、繊維と銅のワイヤの上のもう一つの上でより遠く適用される。この過程に、一電極につき２０〜３０分がかかることができる。フリーな銅のワイヤ端をコネクタにはんだ付けする最後の過程に、非常に小さな傾けられた生地はんだごてを使用して、わずかおよそ１５分がかかる。配列のための基板がコネクタの側に接着されるので、ハンダ付けのためのコネクタの接触点は基板の表面を離れてあって、ポリウレタンによって汚染されない。そして、低温ハンダ付けは、基板に影響を及ぼさない。
【００２１】
（網膜配列の装着及び操作の実施例）配列は、配列アンプに付けられる雌のコネクタに接続される。以下の違いで以外、このコネクタは、一つの電極のためにそのように標準的な微調整装置に取り付けられる。従来の軸方向移動に加えて、操作者は配列がピッチで回転して、偏揺れするのを許す回転軸を身につけていた。これは、網膜で、微小電極についての情報の飛行機が均一でなければならなくて神経節細胞の一つの層から同時に記録する網膜表面と平行でなければならないからである。個々の微小電極が互いと比較して動かせない時から、組織のわずかなロールはこれを達成するために配列を傾けることを必要とする。一度きちんと、正しい位置に置かれて、配列は一つの電極により用いられるそれに類似した方法で網膜または他のティッシュの異なる地域を探検するのに用いられる。空色B（AmthorとOyster（1995））で染色された網膜ガングリオン細胞は、ブロックされるフィールドの唯一の部分が対物レンズ（5X、ニコン）の分野の炭素繊維のための少ないパーセンテージであって、図2Bで示すように、は配列を通して見られることができる。網膜に用いられるシステムの刺激は、１００％の反射している立方（XF125、Omega Optical、Brattleboro、VT）を通してエピ照明経路を使っている配列を通して届けられることができる。刺激場所をモニターするために、５０％の反射「冶金」立方体（ニコン）は、同時に網膜、配列と刺激点を見るのに用いられることができる。
【００２２】
（網膜記録とデータ収集の実施例）低い雑音、最高四つの独立チャンネルの高い入力インピーダンスアンプは比較的一般に利用できる（例えばAM Systems）と、１６以上のチャンネルによる単位はより激しくわかることになっている、そして、ずっと高価である。現在の発明は、非常に安いコストで小さな箱で多数のチャンネルの配置を可能にする人気の、高い入力インピーダンスＴＬ０８１オペアンプに基づく単純な、安価なアンプシステムを含む。その全体的な特徴のいくらかは、かなり、一般に利用できる材料で造られることができるシステムの効率と成功の原因となった。たとえば、ＴＬ０８１演算増幅器は２０年以上に利用できて、現在二重で四倍の広さのミニチュア表面の馬版の中に存在する。そして、それはスペースと経費でかなりの貯金を許する。スペース節減は各々の板の上で１６台の完全なチャンネルアンプで小さな４×４インチのボードの建設を許した。そして、それは順番に配列の２、３インチ以内に全ての電子機器の上るのを許した。
【００２３】
各々のアンプは、三つのステージから成る。オプションの増加とノッチろ過による前置増幅器、実行中の帯域通過フィルタと出力電圧リミッタ。アンプで概要のものは、図３で示される。１０と高周波決勝ゲームフィードバックコンデンサの一定の獲得で、前置増幅器は増加をもつ直流結合された支持者である。直流継手は、オペアンプの高い入力インピーダンスを利用する。異なる電極タイプとコーティングの使用が時々より高い直流増加でアンプを飽和させることができる相殺された交差点可能性を生じるので、前置増幅器増加は１０に限られている。図３のボード線図で示すように、中央のステージは、およそ２．５ｋＨｚの中心の周波数による帯域通過フィルタである。帯域通過フィルタの下限は、６０Ｈｚの線雑音の侵入と例えば過冷却体液の動きのための他の遅い可能性を制限する。高い制限は、ニューロンによって生産されるそれらの外で、信号を通さないである。そして、エイリアシングを避けるＡ／Ｄコンバータ。
【００２４】
最後のステージはオプションである。そして、主に使われる（すなわち以前コンピュータボードとして知られるミージャーメント・コンピューティング（Measurement Computing）社）特定のＡ／Ｄボードに関連がある、最大限の＋／−１０ボルトの入力範囲に作用する。アンプ用の電源が＋／−１０ボルトを超えるであるならば、Ａ／Ｄ入力は保護されている必要がある。更なる増加は信号更なるＡ／Ｄコンバータを満たすためにさらに信号を押し上げるために加えられ得る。そして、それは現在の１６ビットのＡ／Ｄコンバータより一層１２のビットによる問題であった。システムもさらに６０Ｈｚの線雑音を除外するためにこのアンプの若干のバージョンで回路を含む、しかし、電極インピーダンスと地上偏向の慎重な制御は回路のこの部分なしで大部分のこの雑音を除いた。このように、電力供給とＡ／Ｄコンバータの適当な選択は、このステージを不必要にすることができる。もしそうならば、それから、人は電極チャンネルにつき２つのオペアンプ、５つのレジスタと４つのコンデンサだけで回路で記録することができる。
【００２５】
（網膜データの取得と制御の実施例）配列が非常に一つの電極のようで操作されるけれども、配列によるレコーディングは一回の電極記録と一つの特に重要な面において異なる。一つの微小電極である。パイク時間がシュミット引き金のような入り口装置で得られることができるように雑音比率への十分な信号が得られるまで、人は電極の位置と奥行を変える。しかし、配列で、人が個々に微小電極を動かすことができない時から、雑音に合わせて劣った信号を持つ若干の一部のチャンネルまたは同程度の高所の複数のスパイクがある。少なくともウサギ網膜の実験で、配列が要求されたアナログのデータ収集とポスト獲得処理を生じてできた全てのデータを得る。
【００２６】
（データ取得）十分なコンピュータ力とアナログ／デジタル変換カードは、最近非常に安価になった。６４のチャンネル１６はＡ／Ｄカードを噛んで、そして、彼らに住宅を供給するコンピュータは大部分の研究所の購買力の範囲内である、彼らをプログラムする専門知識が必ずしもあるというわけではないかもしれない。データをテストして、得るために衝撃を発生させるためのシステムは、ミージャーメント・コンピューティング社から６４枚のチャンネル（シングルは終わった）Ａ／Ｄボードを使っているマイクロソフト・ウィンドウズ（Microsoft Windows）に基づくコンピュータで動く。刺激生成、データ収集のための全てのソフトウェアと分析は、マイクロソフト・ビジュアル・スタジオ（Microsoft Visual Studio ）６．０とミージャーメント・コンピューティング・ユニバーサル・ライブラリ（Measurement Computing Universal Library）を使って展開された。ビデオハードウェア（刺激表示の高品質グラフィックアニメーションのために必要な）への直接のプログラムに基づいた接近は、マイクロソフトディレクトエックス７．０を使用して達成された。
【００２７】
データ収集と刺激プレゼンテーションは、表示モニター（一秒当たり100フレーム）の垂直回帰に同期した。表示モニターに置かれる光電池の出力の記録に、データ収集の始まりと刺激が表示の光電池の位置に現れたという時の間の変わりやすさは、1ms、500の連続的な刺激プレゼンテーションのために観察された間隔の範囲にあった。
【００２８】
網膜記録のための現在の発明の実施例に、3つの主要な計算ニーズがある。（１）1チャンネルにつき最高１０ｋＨｚ率で１６本以上の電極からアナログデータを得て、これらのデータを格納して、処理するための最小の遅れで、合成の視覚の刺激物（それは強いコンピュータ資源でもあった）の提出でこのデータ収集を調整している（２）と（３）ソフトウェア実装された「バーチャルオシロスコープ」を備えた配列のパフォーマンスを監視していて、細胞スパイク反応について試験者にフィードバックを与えること（例えばポスト刺激時間棒グラフ）を封じる。
【００２９】
これらの三つの仕事（一つの高速なコンピュータで全てを彼らにすることのような）を分割するか、仕事をいくつかのコンピュータで分けるいろいろな方法がある。一つの方法はデータ収集で大きな必要なものが完全に一台のコンピュータを縛ると思う、そのため、第二のコンピュータ（最初で震えている手）は刺激生成と分析をする。この構成が働くけれども、それはいくつかの理由のための正しいものではない。最初はより速い拡張バスによるより新しいＡ／ＤボードがとてもＣＰＵを縛ることなく一刺激につき二、三秒の爆発でアナログデータを得ることができたということである。そして、それによってホストＣＰＵを刺激生成のために無料のままにする。第二の理由は、潜在的にほとんど無制限の要求をする資源がフィードバックと分析であるということである。この構成要素をすることが他のリアルタイム作業（アナログ信号獲得と刺激生成）、そしてそこの持ちもする機械が処理が完了していることがありえるものに対する非常に有限制限であるならば、特定の刺激から得られるデータは次の前に不当な遅れを引き起こすことなく発生することができる。
【００３０】
これは、もう一つの構成に至る。一台の機械は、データ収集と刺激生成をする。これは、網膜に映される刺激を表示している一人のモニター付きのデュアルモニター機械と制御情報を実験者に表示している第二のモニターである。仕事を課すことがそうである難しいハンドシェークは、全てのリアルタイム機能が一台の機械（普通のいつでもすぐ買えるPentium）でされるからを除いた。第二のコンピュータ（Data Spyと呼ばれている）は各々のチャンネルのために仮想オシロスコープをする。そして、ローカルエリアネットワーク（ＬＡＮ）の上にリアルタイム機械で書かれるファイルにアクセスすることによって、全ての分析と細胞反応は非同期で機能を示する。この機械がそのハードディスクのファイルにアクセスすることによって非同期で機能するので、動くデータの間、さえ、分析の異なる種は異なる時間に選ばれることができる。データがそれが処理することができるより速く到着するならば、それは単に二、三の刺激よりも遅れる、しかし、これはデータ収集に影響を及ぼさない。動くデータの中央で、最初の刺激から、それはオペレーターが1種類のされた分析を止めて、ゼロから異なるものを始めるのを許しさえする。
【００３１】
配列を使うためのソフトウェアは、三つの主な構成要素から成る。データ（電圧）獲得、刺激生成はデータ収集と同期して、保管とユーザー表示／インターフェースを出力した。
【００３２】
配列出力は、上述のアンプに、肝要なコネクタによって電気的につながれる。このアンプの出力は、記憶装置（例えばウィンドウズ（Windows）コンピュータのデジタルコンバーターボードへの類似物）に、電気的に接続している。システムに含まれるソフトウェアはデジタルコンバーターボードに類似物の国と作動をコントロールして、刺激生成（Ｂ）機能で獲得に同期させる、そして、ユーザー表示／出力（Ｃ）は機能する。全システムは、一つのコンピュータまたは複数のコンピュータに作用することができる。ソフトウェアは上述のアンプ回路の特性をコントロールすることができる。そして、ソフトウェアプログラム支配中で特定の配列要素に電圧または脈電車の使用を含む。
【００３３】
ソフトウェアは、ウインドウコンピューターモニターでグラフィック絵の提出で、データから配列の獲得に同期させた。ソフトウェアは、音または制御装置（例えばポンプとリレーまたは他の計装）への電圧出力を発生させることができる。
【００３４】
現在の具体化において、データ収集との刺激同期は、他の「低レベル」制御ソフトウェアを使用することもできなかったマイクロソフト（Microsoft）ソフトウェアである「ディレクトエックス（Direct-X）」を使う。発生する刺激はフルスクリーングラフィックスを含む。そして、コンピューターモニターの垂直回帰脈の特定の段階までデータ収集に同期させて、100Hz以上のフレーム率で、あらゆるフレームで変えられる。これは、データ収集の同期をモニター垂直回帰の特定の段階の一つのサンプル時間（たとえば、4000Hzのサンプリングレートの1ミリ秒）以内で、したがって、刺激プレゼンテーションのあらせる。
【００３５】
上述の刺激プレゼンテーションは、予測画像ファイルと運動と100Hzのモニターフレーム率の、または、よりよくグラフィックイメージのダイナミックな計算によるイメージの合併の両方の提出を含む。データ収集で同期するイメージの例はどんな任意のビットマップでもの感動的な長方形の対象、可動格子と変化を含む、そして、ユーザーのこれらの物の様子と消失は実験の間に時間を指定した。
【００３６】
刺激生成で同期するデータ収集の作動は、もう一つのコンピュータまたは他の装置にまず最初にコンピュータＲＡＭ記憶の中に、そして、また、間隔に保存されるか、コンピュータハードディスクに保存されるか、送られる出力ファイルまたはネットワーク接続を生じる。出力ファイルは、由来されるか、配列要素、デジタルサンプル番号または時間への正確な類似物、地位またはポンプまたはリレーまたは他の器具のようなどんな出力装置でもの状態がソフトウェアによってコントロールした刺激表示のどれでもまたは全てに適用される電圧/流から成るエントリを含むことができる。
【００３７】
ファイルはヘッダまたは他の実験的な情報を含むかもしれなくて、データ収集の前か間に得られるユーザーエントリと同じであるか他のファイルで得られるデータを処理するどんな結果でも含むかもしれない。また、ソフトウェアは配列の要素のそれぞれ、いずれまたはすべてから取得されたデータの結果を報告するユーザーインタフェースを生成する。要素の状態、複数の要素からの情報を結合する概要データ、ユーザに対する指示、取得されたデータのグラフィカルな陰謀、他で取得されたデータの比較、 以前にデータを取得したか、またはデバイス、および情報のネットワーク置き換えのコントロールを他とのグラフィカルなディスプレイ、刺激またはインタフェースのコントロールのための数学的モデル、電圧における、配列の要素のコントロールのための適当なユーザーインタフェース、現在の獲得モード、または出力モード、適当なユーザーインタフェースに接続した。そのようなユーザーインタフェースはコンピュータモニターかオーディオ出力であることができる。
【００３８】
（スパイク抽出）実験終了後、データが走るという点で、一組の大きなファイル（それぞれは一チャンネルにつき４〜１０kHzで記録されるアナログデータを含む）がその配列のあらゆるチャンネルのために、そして、あらゆる刺激のためにある。次に、記録される各々の細胞からスパイクの発生の時代を含むファイルは発生する。そして、各々の刺激のためである。アナログ「生」データを保存して、それからスパイク時間を引き出すことは、いくらかの処理を必要とするが、いくつかの重要な利点を持つ。最初に、波形または他の特質の実際のピークが正確に遅れずに位置することができるので彼らが4kHzのアナログ痕跡（スパイク波形が動く全データに設定されるハードウェアシュミット引き金の出発点を横切る時計を読むことより）に位置するとき、スパイクのタイミングの精度は非常によりよいである。第二に、配列の電極のいくつかは雑音スパイクに最大の信号を与えるために必ずしも最適に置かれるというわけではないか、いくつかの細胞からスパイクを持っていない、そのため、オフラインでアナログ信号を処理することによってスパイクを見つけて、識別する能力はワンショットシュミット引き金ハードウェア方法より非常に優れている。
【００３９】
抽出方法の輪郭はあとに続く。そして、それはNordhausen（1996）により用いられるそれと類似している。各々のチャンネルのために、最初の5-10の刺激は候補スパイクを求めて捜される。そして、主にスパイク振幅に基づく。本当のスパイクが存在するように見えるならば、たとえ低い信号ででも雑音に合わせて、テンプレート建築モードは入れられる。このモードでは、記録はより多くのこれらのありそうなスパイクイベントを求めて捜される、そして、彼らは平均的テンプレートを作るのに個々に選ばれる。一旦このテンプレートが安定するならば、そのチャンネルのために動くデータの大きな部分はテンプレートと相関して腹を立てている。十字相互関係価値の機能としての周囲刺激時間（ＰＳＴ）棒グラフと同様に、正常化された十字相互関係価値の配布は、表される。本当のスパイクは相互関係価値の配布において一つのピークのまわりに集まる傾向があって、同じＰＳＴ箱に落ちも傾向がある。雑音スパイクとき、ＰＳＴ棒グラフは広がるのを見られることができるか、動くことができる、あるいは、下の十字相互関係価値の異なる細胞からのスパイクは含まれる。
【００４０】
一旦スパイクの第一セットが記録から確認されるならば、彼らは追い出される、そして、記録は新しいテンプレートを生産するために再び処理される。この反復的なプロセスは、伝えられた記録から最高四本の異なるスパイクを引き出すことを可能にする。この過程は各々の記録のために繰り返される、そして、実際のチャンネルを使用して各々のチャンネルのために各々の細胞からの各々の細胞が各々のチャンネルの上で最初のスパイクタイプのために記録されたというスパイク時がある新しいファイルは作成される、そして、複数のスパイクのための偽チャンネルが各々のチャンネルから引き抜かれる。これらのファイルから、ＰＳＴ棒グラフのような典型的計画、十字相互関係棒グラフ、運動のための極地の計画、その他は発生する。
【００４１】
図４は、１０の要素配列から１０個の「生の」アナログデータ捕捉トレースを示す。この低解像度スケールでさえ、電極の5-6が簡単に識別できるスパイクを備えていることは、明らかである。若干のチャンネルの上のスパイクは、このスケールで小さくて、あまり明白ではない。網膜において、実質的に、彼らが若干の網膜場所または深さにスパイクを記録するという点で、これらの配列の全ての電極は動く。どんな特定の深さでもと配置で、まわりに、いくつかの分離できる単位を記録している何本かの電極で、要素の半分は、一時は簡単に識別できるスパイクを記録する。このように、回復される記録の総数は、一般的に配列で電極の数の命令である。予想通りに、よりまばらな地方のより小さな先端が少数の人を記録する間、高い神経節細胞密度（例えば視覚の線）の網膜の領域に置かれるより大きな電極についての情報は電極につきより多くの細胞を記録する。
【００４２】
図５は、確実に複数のスパイクを一回の微小電極記録から引き出すテンプレート方法の使用を示する。テンプレートの大きな長所は形に基づいて全く異なるスパイクを切り離す能力である。そのとき、彼らは純粋な振幅に基づいて確実に識別されることができないであった。一回の微小電極記録と現在試してみられている細胞のタイプと記録の安定性についてリアルタイムフィードバックを得る仮想オシロスコープのソフトウェア閾値差別において典型的であるようにシステムがハードウェアシュミット引き金を含むけれども、全てのチャンネルはこのようにオフラインで処理される。
【００４３】
図６は８つの単位の（ＰＳＴ）棒グラフが図４で痕跡から立ち直ったことを周囲刺激時間に明らかにする。そして、それは図２のＢで順番に10の電極配列から得られた。8つの単位は回復された。各々の回復された単位はＰＳＴ棒グラフの様子から異なった細胞からあるように見える、しかし、我々はチャンネルの向こうで波形を直接調べなかった。発砲十字相互関係機能は、一つの一定の遅れの疑い深く大きなピークがどれを起動させるかについて計算されることができるそのような試験。
【００４４】
成功にとって不可欠だった手順（一回の電極記録に共通のそれらの考慮すべき問題を越えて）の面は、主にピッチに配列を傾けて、同じ水平面の全ての先端に記録される組織のそれにマッチさせるために偏揺れする基板、上っている正確さと能力を越えて少なくとも数何十マイクロメートルも広げたかなり長い先端で、電極を使っていた。いくつかの構成は、１０マイクロメートル未満、基板から出てきている短い先端で審理された。網膜において、これらは主に軸索記録（神経節細胞軸索は、神経節細胞体層に、近位の層を作る）に終わった。軸索記録の受け入れるフィールドが電極についての情報の近くの地域に限定されなくて、離れてかなりの距離であるとわかるかもしれないので、網膜において、そのような記録は好まれない。そして、そのような受け入れるフィールドの間の共通部分は最小限であった。
【００４５】
電極についての情報を得て、ガングリオン細胞層の全ては、網膜記録で重要でもある。これは、正確さを上ることと配置に関係させた。おそらく、集会手順で最も難しい部分は、据え付けである。２０マイクロメートル以下のインター電極間隔が通常成し遂げられることができるけれども、ポリウレタンを結合しているエージェントの手で実用低下で全ての先端の正確な深さをコントロールすることが技術と忍耐を必要として、そして、間隔が中でもまったく均一であるというわけではないX-YまたはZ局面（図２のＢ参照）。それでも、完全な電極-電極深さ調整さえ、配列をガングリオン細胞層に合わせる能力なしで役に立たないことがわかった。二本の傾き軸を装置する前に、多くの初期の配列（少し32の要素と同じくらい大きな）は、二、三の生き残れるチャンネルがあるだけに見えて、不必要に捨てられた。
【００４６】
本発明には、記録している従来の単細胞と比較して、確かな利点がある。人は、安定性である。配列は分散しているが中断された網膜を横切る「足跡」を有するので、ほとんど運動が時間とともに配列に関して組織の時間にわたってない。この配列による記録は、4-6時間典型的に安定していて、通常その期間の後、さえ優雅に分解する。配列は、非常に強くもある。図２のＢで顕微鏡写真を生み出すために、配列に損害を与えることなく、我々は実はガラスのグラチクルの表面の上の配列についての情報を同時に先端とグラチクルを焦点が合っているようにするようにした。配列はプラスチックペトリ皿の底へ繰り返し追い込まれることができる、炭素繊維が傾くので、見た目の損害なしで、曲がって、ブレークするか、永久の曲がり角を引き受けることなく彼らの最初の位置に戻ってください。これまで、極めて少ない電極要素が、使用の多くの月にわたって、我々の配列のうちのいずれかにおいて機能を「脱落させた」。
【００４７】
配列は、建設が実質的にどんな電気生理学研究所でもの圏内であるマルチ電極配列システムで哺乳類の細胞を記録するのを許する。配列は強くて、多くの時間の間安定した記録を持って、何ヶ月も、または、より長く使える。配列の近い透明度は、それを通して組織の視覚化を許す。視覚の刺激が配列を通して網膜に達することができるので、網膜から記録するとき、これは特に役に立つ。透明度は、脳スライスからのレコーディングまたは組織培養において重要でもある、そのうえ、長所がある配列を取り除くことなく下にある組織を見る研究室人員を許す。即座の発明は、配列記録を光学イメージングと結合することに役立ちもする。そのうえ、配列のレコーディング要素が炭素繊維であるので、pHまたはどんな有機化学製品でもの存在に反応するコーティングを用いて、彼らは電圧以外の記録に潜在的に役立つ。
【００４８】
これらの配列記録がむしろありふれた電子拡大で達成されるという事実は、雑音への配列要素で成し遂げられる信号が標準的な微小電極で一つの電極記録に相当することを示する。これらの配列の個々の微小電極は、１０分未満で作られることができる。8-10の電極の層は、２、３時間で集められることができる。我々が現在まで使った大部分の配列が１６またはより少しの要素を持ったけれども、この数に対する唯一の制限は配列ビルダーの忍耐である。２０マイクロメートルより少ないインター要素間隔は、簡単に成し遂げられる。
【００４９】
ここに報告されるものに最も近い現存している配列はクルーガーとバッハ（1981）によってとても報告される。そして、それは１６０マイクロメートルの間隔で配列に個々の微小電極を集めた。そして、それより非常に大きな間隔が現在の発明（２０マイクロメートル未満）で許される。しかし、クルーガーとバッハ（皮質でレコーディングのために設計される）の配列は透明でなくて、このように、我々がするつもりである網膜記録構成にふさわしくはなかった。そして、終わりまで例えば電極配列を刺激した。クルーガーとバッハも、先端が基板（炭素繊維を使う現在の発明においてよりかなりの距離）から２．５ｍｍを広げた金属線を使った。さらに、我々の個々の微小電極の製造はよりはるかにより簡単で多くの他の配列のそれより制御可能である。そして、炭素繊維の使用は電気化学的発見（それを我々は探検しなかった）への潜在的申し込みをする。
【００５０】
別々のチャンネルの上で以外、かなりの細胞が記録されるように、２０マイクロメートルがむしろ小さな使用への能力であるより電極間隔を成し遂げないことの一つの特定の長所はオーバーサンプルに組織の領域を傾ける。それが発砲十字相互関係測定をするよう求められるとき、これは、次に、複数の細胞を個々のチャンネルから回収する問題に関連がある。複数の細胞が一つのチャンネルで拾われるとき、ほぼ同じ時間に起こるスパイクは重なり合う波形を必然的に持つ。結果として生じる波形は二つの細胞のテンプレートのどちらもと一致しなくて、最悪のケースで、実は入り口より上の振幅コンポーネントをイベントをスパイクと思うことに設定されないかもしれない。十字相互関係研究（歌手ほかが、1997である。）が0ミリ秒の遅れの近くで発砲偶然の一致のピークを最もしばしば示したので、電極記録につき複数の細胞のスパイク衝突の問題は大部分の利息のまさしくその遅れで最悪である。したがって、明らかに選択肢よりすばらしい間隔でより多くの電極を使うことは、望ましいである。
【００５１】
（II補綴装置）炭素繊維は本質的に電子提供者とアクセプターとしての適当な材料であり、そして、彼らがしたがって、ニューロンから電圧信号を受け取ることと電圧信号でニューロンを刺激すること際にどんなコーティングなしででも使われることができる。彼らは、例えばコーティングを受けるか、刺激することを強化するレコーディングのために使っておくこともできる。刺激と受領は、同じ配列に組み込まれることができる。若干の配列要素は、電圧信号を受けるかもしれない、そして、これらの記録は、帯域通過アンプで濾過されることができた、そしてそれはそれからそれから、他の配列要素は、その処理の出力を支配にニューロンを刺激するか、高まるか、ＣＮＳ機能、病気へのどちらの失われた与えられるべきものでもまたは退化に代わるか、直接的なＣＮＳインターフェースで例えば通常の機能を強化するのに用いられる。
【００５２】
刺激して、最小の侵入だけで神経組織で受ける補綴装置の小さな部分は、図７で示される。ここに記述される補綴装置が、受けるミリ電圧信号に関しては同様に、ミリ電圧レベルで刺激のために使われることができて、生きた体の補綴装置として挿入されることができる。その上、同じ発明のもう一つの実施例は刺激的なニューロンのためである電極１を持っているかもしれなくて、神経組織から電圧信号を受け取るために他の電極２を持っているかもしれない、そして、信号が受けた電圧は同じ配列で刺激電極の起動パターンを変えるのに用いられるかもしれない。電極の鋭くされた端３は、電気絶縁体の停止によって現れられる最も多くの末端部分である。電極の露出された端４は、基板５の範囲内で収納されない電極のその部分である。炭素繊維と金属線の組み合わせは、６である。一部の各々の電極をカバーしている電気絶縁体は、７である。使われる、図１Ａ、図１Ｂ及び図２Ｂで示されるより、配列の構成移植された人工器官が異なる補綴装置（すなわち、神経組織の刺激することまたはレコーディングのための、または、同じ多重電極装置で電極によって同時に両方ともするための）としての使い方のための配列の構造は、網膜でレコーディングのために使われる配列の構造とは異なる。自然な刺激を繰り返す方法で人工的に神経組織を刺激することの難しさのうちの一つは、そうである。方法は、１をする。多層であるかさもなければ、外面上は構造の刺激だけを許すにはあまりに厚い組織への十分な刺激（電極を組織に打ち込んで、それによってそれに損害を与えることによってまた、下にある組織に損傷を与えることのない）を届ける？特に長い期間の間入れられるとき、もう一つの問題は金属電極が腐食の可能性を提示するということである。いくつかの努力はそのような装置を作製させられた、しかし、本発明はどんな既存の装置よりでも非常によくこれらと他の問題を解決する。
【００５３】
配列の個々の電極の間隔は、センターの間で１０マイクロメートル未満でありえる。電極間隔は、炭素繊維の幅の機能である。すなわち、より多くの間隔が必要とした繊維は、より広いである。各々の電極の絶縁層（例えばポリウレタン）は２ミクロン未満である。かくして、電極の間で必要な唯一のさらなる幅が各々の電極のための絶縁であるので、５ミクロン炭素繊維電極が、たとえば、１０ミクロン未満間隔でセンターであることができた。さらなる例として、１２ミクロン炭素繊維配列は、センターが２０ミクロン未満、離れて間隔をあけられる電極を持っていることができた。繊維の幅の選択の余地は、基板（ここでは「突起距離」とする。）を越えて、拡張の望ましい長さに依存する。より大きな突起距離が必要なとき、より広い炭素繊維が使われる。
【００５４】
上述のソフトウェアは、先の命令セットによって、レコーディング装置でサンプルの中で、または、の間で配列の操作をコントロールすることができる、そして、補綴デバイスでは、電圧の配置またはデータと連携した個々の配列要素の上の流れは今に至るまで瞬間を得た。たとえば、皮質または脊柱のような神経組織を刺激するのに用いられる神経人工器官のために、ソフトウェアは何でもまたは全ての配列要素から神経データを得ることができて、数学的なモデルによってデータを処理することができて、配列の近くで、または、若干の他の配列でニューロンを刺激するか、若干の他の装置を制御するために、何でもまたは全ての配列要素の上で脈を出力することができた。これは、配列の有利な特徴である。それは、電圧の同時受領がニューロンから合図する、そして、電圧によるニューロンの刺激が合図すると認める。これには、フィードバックループが情報と刺激のきわめて重要な神経処理を実行する神経系で、アプリケーションのために重要な利点がある。たとえば、視床のLGNの大部分の軸索が始原視覚皮質（視床皮質系予測）（別名地域Ｖ１）に突出することは、有名である。視覚皮質Ｖ１から軸索で最もかなりの生産高が特定の視力関連の処理が起こる視床へ行くことを知られている。皮質の顕著な特徴がさらにどうも興奮している、そして、より弱い特徴が視床で妨げられて、一つの理論はこれらの皮質視床映像が注意を決定する際に重要であるということである。多数の電極を非常に小さな地域に包装する現在の発明の先例のない能力は受電電極が機能を受電電極を帯域通過アンプに接続することによる皮質視床フィードバック予測または近くに挿入される他の装置と類似しているように扱うことができたことを意味する。そして、出力はそれから、刺激電極での結合を通して、視野でより弱い特徴を妨げるが、より多くの突出部を強化するか、興奮させる。これらの刺激電極は、視床皮質系予測に類似している。このように、同時の刺激とレコーディングは、視覚的注意（人工の展望のための先例のない特徴）の発達を許すことができた。これは、フィードバックループが神経補綴学にとって重要でありえた方法の一つの例だけである。図８は、ＣＮＳとＰＮＳのそれを模倣している人工のフィードバックを利用するために造られることができたフィードバックループの図である。図８は受電電極2を含む。そして、それから配列の基板５（前置増幅器８に結合する）を通して広がることが帯域通過アンプ９に結合して、それから出力コントローラ１０に結合して、それから電流発生器１１に結合する。電流源１２は、電流発生器１１にも結合する。
【００５５】
さらに、同じ多重電極配列の中で受ける電圧信号のために刺激電極を電極に変える能力は、人間の主題からフィードバックと方向で神経組織の所定の領域の起動のパターンを調節することに柔軟性を見込む。この種のフィードバック（影響を受けた皮質の組織を取り出す手術の間の局所麻酔薬の下の癲癇患者のそれに類似した）は、医者が患者の感覚の認識に基づく指示で発明の刺激パターンの調整をするのを許する。その上、調整は手術の終結の後、なされることができた。
【００５６】
本発明のもう一つの重要な面は、個々の電極が前の装置が許したより非常に多様な地域で刺激とレコーディングを確実にするために神経構造の異なる層または領域を目標とするために長さで多様であることができるということである。同じ補綴装置の異なる電極のこの可変的な突起距離は、先行技術の上の大きな前進である。たとえば、大部分の哺乳類の新皮質は厚さ２〜４ミリメートルであって、定義可能な層を持つ、そして、異なる層の刺激することとレコーディングは個々の電極の複数の突起距離の長さを変えることによって現在の発明で可能である。個々の電極が突き出る基板は神経構造の表面に載置される、そして、個々の電極は望ましい深さに表面を突き通する。個々の電極が１０ミクロン未満別々でありえる（炭素繊維の厚みに従い）ので、これらの電極は上層でニューロンへの非常に最小の損害とともにより深い層または厚みに組織中をすべることができる。発明のこの面は、図７で表される。
【００５７】
鋭くされた点が非絶縁された突起距離の唯一の部分であるように、異なる突起距離の個々の電極はエッチングされた点（先に述べたように）の近所の位置に絶縁される。これは、正確な場所に管理の配送を許する。たとえば、突起を２ｍｍの距離とみなして、電流は15ミクロン未満である露出された鋭くされて非絶縁された先端に、組織だけに進む。
【００５８】
電気生理学のために、ソフトウェアは特に反応対刺激パラメータのマップが例えば置くをつくる刺激、強さまたは他のパラメータの結果として各々、何でもまたは全ての配列要素の出力を示すことができる。ソフトウェアは、配列によって記録されるニューロンの活動電位の発砲のポスト刺激時間棒グラフを陳列することができる。ソフトウェアは展示することができる。そして、一つであるか複数の経路でソフトウェア（ニューロンの同期の発砲のような十字チャンネルデータ機能の）または特定の発砲パターンの発見によって分析に続く。ソフトウェアで入り口または他のパラメータのインタラクティブセッティングまたはデータのオンライン分析が得られることができることができる、そして、データ収集の間の表示は現在の瞬間の前に得られる全てのデータから生じる。
【００５９】
（IIIバイオ検知装置）炭素繊維配列が有機化合物のためのセンサーとしても使われるかもしれない、そして、この感じることは電気生理学の記録または刺激で別に、または、同時にされることができる（同じ配列で）。配列は移植されることができるか、組織互換性または神経インターフェース（例えば神経成長因子、細胞粘着力分子または幹細胞さえ）を強化するコーティングまたは解放可能な物質で生体内に一時的に置かれることができる。
【００６０】
炭素繊維は電子提供者またはアクセプターの働きをして、そして、生物学的基板の面前で、繊維への電圧のアプリケーションで、ドーパミンのような神経伝達物質のような酸化できるか縮小できる生物学的物質の縮小-酸化探知と電流の流れのモニタリングに参加することができる。コーティングは、より特定の発見の繊維ヒントに適用されることができる。配列は標準的なコネクタの上で開始されて、したがって、使い捨てでありえる。複数の検知素子は、非常に小さなスペース（例えば流体、毛管のベッドまたはどんな生物学的実質でもの一つのしずく）に置かれることができる。特定の生化学種を見つけて、特定する能力を強化するために、複数の電圧は、異なる配列要素（どちらでも同時に、または、順番に）に印加されることができる。異なるコーティングは異なる配列要素の上でも化学種の発見と識別の特性を強化する（1）のに用いられることができるか、複数の生化学であるか化学物質の同時探知を許する。（2）。たとえば、電流測定装置によって、配列は生理的寸法を血圧（神経活動とバイオセンシングすることのどんな組合せでも）に関連するようにすることができて、血圧に影響を及ぼしている他のニューロンをコントロールするか、血圧に影響を及ぼした物質を放出したポンプを作動させるために、出力を生じることができた。電流測定は、2本の電極の間で固定されたかパルス状の電圧を印加して、電極の間で回路を渡している流れを決定することが必要である。電極に従い、流れは電位で電極で見つけられる化学種の集中に関連がある。電流測定装置は、たとえば、リッチモンド（ヴァージニア）のアブテック・サイエンティフィック（Abtech Scientific）社によって生産される。
【００６１】
金属線１６で継手６に基板を越えて伸びている受電電極２で、図９はバイオセンシングしている電極のために回路を示しているフローチャートである。そして、それは電流測定装置１４に結合する。そして、それは電圧源に結合する。そして、それは参照ワイヤ１３に結合する。そして、それはまた、基板５を越えて、そして、試してみられている生物学的材料に達する。
【図面の簡単な説明】
【００６２】
【図１Ａ】マルチ電極記録配列の一部の唯一の層の図である。雲母またはアセテート基板は、エポキシで電気コネクターに接着される。個々に製造された炭素繊維電極は基板（図示せず）の記録終わりの下に取り付けられるすばらしいメッシュで電極についての情報を安定させることによって各々の層で置かれる。そして、集会が終了していたあと、それは取り除かれる。絶縁された炭素繊維は細い銅のワイヤに結合される。そして、それは順番に電気コネクターにはんだ付けされる。ポリウレタンは個々の炭素繊維を絶縁して、一緒にアセンブリを結合する。
【図１Ｂ】層がどのように互いに関して相殺されるかについて示している多重電極を記録している配列の側面図の図である。そのため、４５度角度で進められるとき、全ての電極についての情報は同じ水平面にある。これは、基板への電極先端を通って、そして、より遠く先端からの基板を通して下にある組織の視覚化を許す。
【図２】Ａは、配列のシングルがカーボン微小電極に断熱して、銀メッキしたということを記録している多重電極の先端地域の顕微鏡写真のコピーである。光る地域は、露出された、装甲地域である。スケールは、１００ミクロンである。Ｂは、二枚の層の顕微鏡写真のコピーである。そして、１０の電極多重電極が大規模な、レッテルをはられた師団が１００ミクロン間隔でであるグラチクルの上に置かれる配列を記録する。見解は、上からある、を通して。顕微鏡対物レンズ、どちらが刺激経路でもありえるか（洗眼コップが使われるよりはむしろ、孤立した網膜ならば刺激が下から来ることができるけれども。）、グラチクルはおよそ５０ミクロン基板を越えて明らかに見える。グラチクルスケールは左上で基板を通して見えもする。しかし、アセテート基板屈折はイメージを移す。屈折シフトは、基板としてアセテートよりむしろより細い雲母を用いて最小にされることができる。スケールは、１００ミクロンである。
【図３】下記の増加対頻度計画で、各々のチャンネルのために使われる電子アンプの概略図である。抵抗はあるメガオーム（Ｍ）、ピコファラド（ｐ）のコンデンサ、そして、頻度はログ部門（ログスケール）の中にある。全ての演算増幅器は、Ｔ１０８１等価物（Ｔ１０８２両数かＴ１０８４中庭版が、実は使われる）である。
【図４】１０の電極マルチから同時の記録から痕跡を含む、図２のＡとＢ。チャネルで４−８がこの低解像度スケールでさえ簡単に識別できるスパイクを持っていることを明らかにされる配列。雑音への信号インデックスは、各々のチャンネルのために１００本のスパイクのために２ミリ秒離れて、ピークの雑音へのピークへのピークのスパイク高さへのピークの比率として測られた。それぞれ、0-9がそうであるチャンネルのためのこれらの価値。4.3、4.8、4.7、3.2、9.2、7.9、7.7、6.1、4.9と4.0。
【図５】テンプレート相互相関の用法が同程度の振幅のスパイク、しかし、異なる形を識別することを示する。（Ａ）テンプレートを示している生の痕跡の2つの部分は、異なる形である。パイクに由来した。2つのテンプレートで異なる相互相関によって異なるこれらの単位の可分性を示している（Ｂ）規格化した相互相関計画。
【図６】この場合、図２のＢでほんの一つの単位しか各々のチャンネルに由来しなかったことを明らかにされる１０の要素マルチ配列に由来する八つの単位のＰＳＴ棒グラフを含む、しかし、網膜の先端サイズと場所に従い、時々、二つまたは三つの異なった単位はテンプレート方法を使用している一つのチャンネルから導き出せる。ケース９は正当への左に単位の反応を示する。明るいバー（権利‐左への掃除へのケース１０）の掃除してください。
【図７】哺乳類の新皮質の１−６で層の場合のように神経組織の異なる層を、たとえば、代表するために引かれる三つのニューロンの体だけを見せている神経組織（陰影線をつけられる）の理想とされた横断面の図面である。補綴装置の基板は神経組織の表面に載せてある、そして、個々の電極は神経組織に基板から異なる距離で突き出る。4本の電極は見受けられる、人は刺激電極である。そして、もう一つは受電電極である。2本の他の電極は、電極の鋭くされた先端と配列の基板を越えて突き出る電極の露出された端を例示する。
【図８】フィードバックループの要素を示すフローチャートである。
【図９】バイオセンシングしている電極回路の要素を示すフローチャートである。
【図１Ａ】
2006528041.tif 000003
【図１Ｂ】
2006528041.tif 000004
【図２】
2006528041.tif 000005
【図３】
2006528041.tif 000006
【図４】
2006528041.tif 000007
【図５】
2006528041.tif 000008
【図６】
2006528041.tif 000009
【図７】
2006528041.tif 000010
【図８】
2006528041.tif 000011
【図９】
2006528041.tif 000012
【国際調査報告】
2006528041.tif 000013